(57)【要約】【課題】データ記録領域とは異なる方法で表現される領域を音データの記録領域として利用することができ、且つコード領域内に特殊データが記録されていることを利用者が視覚的に認識しやすい構成を提供する。【解決手段】情報コード生成装置２は、コード領域の内部に、予め定められた形状の特定パターンが配置される特定パターン領域と、複数種類の前記セルによってデータを記録するデータ記録領域と、データ記録領域によるデータの記録方法とは異なる方法で複数の音を所定図形によって表現する音情報表示領域とを設ける構成で情報コードを生成する。【選択図】図１
2015060582.tif 000002
【特許請求の範囲】
【請求項１】
所定のコード領域の内部に情報を表示する単位となるセルを配列した情報コードを情報コード生成装置によって生成する情報コード生成方法であって、
前記コード領域の内部に、予め定められた形状の特定パターンが配置される特定パターン領域と、複数種類の前記セルによってデータを記録するデータ記録領域と、前記データ記録領域によるデータの記録方法とは異なる方法で複数の音を所定図形によって表現する音情報表示領域とを設けることを特徴とする情報コード生成方法。
【請求項２】
前記コード領域の内部において、前記特定パターン領域及び前記データ記録領域以外の位置に、前記セルによって解読対象データが記録されない領域である空き領域を、単一の前記セルのサイズよりも大きいサイズで設け、
前記空き領域の内部に前記音情報表示領域を設けることを特徴とする請求項１に記載の情報コード生成方法。
【請求項３】
前記音情報表示領域において、複数の音のそれぞれの高さを、それぞれの音に対応する前記所定図形の位置によって表現することを特徴とする請求項１又は請求項２に記載の情報コード生成方法。
【請求項４】
前記データ記録領域に前記音情報表示領域で表現される複数の音の演奏方法を指定する演奏方法指定データを記録した構成、又は前記音情報表示領域の周囲領域に前記データ記録領域によるデータの記録方法とは異なる方法で前記演奏方法指定データを記録する領域を設けた構成で前記情報コードを生成することを特徴とする請求項１から請求項３のいずれか一項に記載の情報コード生成方法。
【請求項５】
前記演奏方法指定データは、演奏音源、演奏速度、演奏可能な音の高さの数の少なくともいずれかを指定するデータであることを特徴とする請求項４に記載の情報コード生成方法。
【請求項６】
前記音情報表示領域の周囲領域に、前記音情報表示領域に記録された複数の音の演奏方法の内容を記入位置によって特定する記入領域を設けた構成で前記情報コードを生成することを特徴とする請求項４又は請求項５に記載の情報コード生成方法。
【請求項７】
前記音情報表示領域で複数の音を表現する各々の前記所定図形の色彩又は形状の少なくともいずれかを、複数種類の演奏方法にそれぞれ対応付けられた複数の色彩候補又は複数の形状候補の中から選定することを特徴とする請求項１から請求項３のいずれか一項に記載の情報コード生成方法。
【請求項８】
前記データ記録領域に、前記音情報表示領域の位置を示す位置データを記録することを特徴とする請求項１から請求項７のいずれか一項に記載の情報コード生成方法。
【請求項９】
前記データ記録領域又は前記音情報表示領域の周囲領域に、前記位置データによって位置が特定される前記音情報表示領域での段数を示す段数データを記録することを特徴とする請求項８に記載の情報コード生成方法。
【請求項１０】
所定のコード領域の内部に情報を表示する単位となるセルを配列した情報コードであって、
前記コード領域の内部に、予め定められた形状の特定パターンが配置される特定パターン領域と、複数種類の前記セルによってデータを記録するデータ記録領域と、前記データ記録領域によるデータの記録方法とは異なる方法で複数の音を所定図形によって表現する音情報表示領域とが設けられていることを特徴とする情報コード。
【請求項１１】
前記コード領域の内部において、前記特定パターン領域及び前記データ記録領域以外の位置に、前記セルによって解読対象データが記録されない領域である空き領域が、単一の前記セルのサイズよりも大きいサイズで設けられ、
前記空き領域の内部に前記音情報表示領域が設けられていることを特徴とする請求項１０に記載の情報コード。
【請求項１２】
前記音情報表示領域において、複数の音のそれぞれの高さが、それぞれの音に対応する前記所定図形の位置によって表現されていることを特徴とする請求項１０又は請求項１１に記載の情報コード。
【請求項１３】
前記データ記録領域に前記音情報表示領域で表現される複数の音の演奏方法を指定する演奏方法指定データを記録した構成、又は前記音情報表示領域の周囲領域に前記データ記録領域によるデータの記録方法とは異なる方法で前記演奏方法指定データを記録する領域を設けた構成となっていることを特徴とする請求項１０から請求項１２のいずれか一項に記載の情報コード。
【請求項１４】
前記演奏方法指定データは、演奏音源、演奏速度、演奏可能な音の高さの数の少なくともいずれかを指定するデータであることを特徴とする請求項１３に記載の情報コード。
【請求項１５】
前記音情報表示領域の周囲領域に、前記音情報表示領域に記録された複数の音の演奏方法の内容を記入位置によって特定する記入領域が設けられていることを特徴とする請求項１３又は請求項１４に記載の情報コード。
【請求項１６】
前記音情報表示領域で複数の音を表現する各々の前記所定図形の色彩又は形状の少なくともいずれかが、複数種類の演奏方法にそれぞれ対応付けられた複数の色彩候補又は複数の形状候補の中から選定されていることを特徴とする請求項１０から請求項１２のいずれか一項に記載の情報コード。
【請求項１７】
前記データ記録領域に、前記音情報表示領域の位置を示す位置データが記録されていることを特徴とする請求項１０から請求項１６のいずれか一項に記載の情報コード。
【請求項１８】
前記データ記録領域又は前記音情報表示領域の周囲領域に、前記位置データによって位置が特定される前記音情報表示領域での段数を示す段数データが記録されていることを特徴とする請求項１７に記載の情報コード。
【請求項１９】
所定のコード領域の内部に情報を表示する単位となるセルを配列した情報コードを読み取る情報コード読取装置であって、
前記情報コードは、前記コード領域の内部に、予め定められた形状の特定パターンが配置される特定パターン領域と、複数種類の前記セルによってデータを記録するデータ記録領域と、前記データ記録領域によるデータの記録方法とは異なる方法で複数の音を所定図形によって表現する音情報表示領域とが設けられた構成であり、
前記情報コードを撮像可能な撮像部と、
前記撮像部によって前記情報コードが撮像された場合に、その撮像された前記情報コードのコード画像における前記データ記録領域の内容に基づいて前記データ記録領域に記録されたデータを読み取るデータ記録領域読取部と、
前記コード画像内の前記音情報表示領域に表された前記所定図形に基づいて、前記音情報表示領域に記録された複数の音を特定する記録音特定部と、
を有することを特徴とする情報コード読取装置。
【請求項２０】
前記コード領域の内部において、前記特定パターン領域及び前記データ記録領域以外の位置に、前記セルによって解読対象データが記録されない領域である空き領域が、単一の前記セルのサイズよりも大きいサイズで設けられ、
前記空き領域の内部に前記音情報表示領域が設けられていることを特徴とする請求項１９に記載の情報コード読取装置。
【請求項２１】
前記情報コードは、前記音情報表示領域において、複数の音のそれぞれの高さが、それぞれの音に対応する前記所定図形の位置によって表現されており、
前記記録音特定部は、前記音情報表示領域に表された前記所定図形の位置に基づいて、前記音情報表示領域に記録された複数の音のそれぞれの高さを特定することを特徴とする請求項１９又は請求項２０に記載の情報コード読取装置。
【請求項２２】
前記情報コードは、前記データ記録領域に前記音情報表示領域で表現される複数の音の演奏方法を指定する演奏方法指定データを記録した構成、又は前記音情報表示領域の周囲領域に前記データ記録領域によるデータの記録方法とは異なる方法で前記演奏方法指定データを記録する領域を設けた構成となっており、
前記記録音特定部は、前記データ記録領域の記録内容又は前記周囲領域の記録内容に基づいて前記演奏方法指定データで指定される演奏方法を特定することを請求項１９から請求項２１のいずれか一項に記載の情報コード読取装置。
【請求項２３】
前記演奏方法指定データは、演奏音源、演奏速度、演奏可能な音の高さの数の少なくともいずれかを指定するデータであることを特徴とする請求項２２に記載の情報コード読取装置。
【請求項２４】
前記情報コードは、前記音情報表示領域の周囲領域に、前記音情報表示領域に記録された複数の音の演奏方法の内容を記入位置によって特定する記入領域が設けられており、
前記記録音特定部は、前記情報コードの前記コード画像において前記記入領域を解析し、前記記入領域で指定される演奏方法を特定することを特徴とする請求項２２又は請求項２３に記載の情報コード読取装置。
【請求項２５】
前記情報コードは、前記音情報表示領域で複数の音を表現する各々の前記所定図形の色彩又は形状の少なくともいずれかが、複数種類の演奏方法にそれぞれ対応付けられた複数の色彩候補又は複数の形状候補の中から選定されており、
前記記録音特定部は、前記音情報表示領域で表示される複数の前記所定図形のそれぞれの色彩又は形状に基づいて、各々の前記所定図形に対応する音の演奏方法を特定することを特徴とする請求項１９から請求項２１のいずれか一項に記載の情報コード読取装置。
【請求項２６】
前記情報コードは、前記データ記録領域に、前記音情報表示領域の位置を示す位置データが記録されており、
前記記録音特定部は、前記データ記録領域に記録された前記位置データに基づいて前記音情報表示領域の位置を特定することを特徴とする請求項１９から請求項２５のいずれか一項に記載の情報コード読取装置。
【請求項２７】
前記情報コードは、前記データ記録領域又は前記音情報表示領域の周囲領域に、前記位置データによって位置が特定される前記音情報表示領域での段数を示す段数データが記録されており、
前記記録音特定部は、前記データ記録領域又は前記音情報表示領域の周囲領域に記録された前記段数データに基づいて前記音情報表示領域での段数を特定することを特徴とする請求項２６に記載の情報コード読取装置。
【請求項２８】
所定のコード領域の内部に情報を表示する単位となるセルを配列した情報コードを生成する情報コード生成装置と、
前記情報コード生成装置によって生成された前記情報コードを読み取る情報コード読取装置と、
を備えた情報コード利用システムであって、
前記情報コード生成装置は、
前記コード領域の内部に、予め定められた形状の特定パターンが配置される特定パターン領域と、複数種類の前記セルによってデータを記録するデータ記録領域と、前記データ記録領域によるデータの記録方法とは異なる方法で複数の音を所定図形によって表現する音情報表示領域とを設けた構成で前記情報コードを生成し、
前記情報コード読取装置は、
前記情報コードを撮像可能な撮像部と、
前記撮像部によって前記情報コードが撮像された場合に、その撮像された前記情報コードのコード画像における前記データ記録領域の内容に基づいて前記データ記録領域に記録されたデータを読み取るデータ記録領域読取部と、
前記コード画像内の前記音情報表示領域に表された前記所定図形に基づいて、前記音情報表示領域に記録された複数の音を特定する記録音特定部と、
を有することを特徴とする情報コード利用システム。
【請求項２９】
前記情報コード生成装置は、前記コード領域の内部において、前記特定パターン領域及び前記データ記録領域以外の位置に、前記セルによって解読対象データが記録されない領域である空き領域を、単一の前記セルのサイズよりも大きいサイズで設け、前記空き領域の内部に前記音情報表示領域を設けた構成で前記情報コードを生成することを特徴とする請求項２８に記載の情報コード利用システム。
【請求項３０】
前記情報コード生成装置は、前記音情報表示領域において、複数の音のそれぞれの高さを、それぞれの音に対応する前記所定図形の位置によって表現した構成で前記情報コードを生成し、
前記情報コード読取装置の前記記録音特定部は、前記音情報表示領域に表された前記所定図形の位置に基づいて、前記音情報表示領域に記録された複数の音のそれぞれの高さを特定することを特徴とする請求項２８又は請求項２９に記載の情報コード利用システム。
【請求項３１】
前記情報コード生成装置は、前記データ記録領域に前記音情報表示領域で表現される複数の音の演奏方法を指定する演奏方法指定データを記録した構成、又は前記音情報表示領域の周囲領域に前記データ記録領域によるデータの記録方法とは異なる方法で前記演奏方法指定データを記録する領域を設けた構成で前記情報コードを生成し、
前記情報コード読取装置の前記記録音特定部は、前記データ記録領域の記録内容又は前記周囲領域の記録内容に基づいて前記演奏方法指定データで指定される演奏方法を特定することを請求項２８から請求項３０のいずれか一項に記載の情報コード利用システム。
【請求項３２】
前記演奏方法指定データは、演奏音源、演奏速度、演奏可能な音の高さの数の少なくともいずれかを指定するデータであることを特徴とする請求項３１に記載の情報コード利用システム。
【請求項３３】
前記情報コード生成装置は、前記音情報表示領域の周囲領域に、前記音情報表示領域に記録された複数の音の演奏方法の内容を記入位置によって特定する記入領域を設けた構成で前記情報コードを生成し、
前記情報コード読取装置の前記記録音特定部は、前記情報コードの前記コード画像において前記記入領域を解析し、前記記入領域で指定される演奏方法を特定することを特徴とする請求項３１又は請求項３２に記載の情報コード利用システム。
【請求項３４】
前記情報コード生成装置は、前記音情報表示領域で複数の音を表現する各々の前記所定図形の色彩又は形状の少なくともいずれかを、複数種類の演奏方法にそれぞれ対応付けられた複数の色彩候補又は複数の形状候補の中から選定した構成で前記情報コードを生成し、
前記情報コード読取装置の前記記録音特定部は、前記音情報表示領域で表示される複数の前記所定図形のそれぞれの色彩又は形状に基づいて、各々の前記所定図形に対応する音の演奏方法を特定することを特徴とする請求項２８から請求項３０のいずれか一項に記載の情報コード利用システム。
【請求項３５】
前記情報コード生成装置は、前記データ記録領域に、前記音情報表示領域の位置を示す位置データを記録した構成で前記情報コードを生成し、
前記情報コード読取装置の前記記録音特定部は、前記データ記録領域に記録された前記位置データに基づいて前記音情報表示領域の位置を特定することを特徴とする請求項２８から請求項３４のいずれか一項に記載の情報コード利用システム。
【請求項３６】
前記情報コード生成装置は、前記データ記録領域又は前記音情報表示領域の周囲領域に、前記位置データによって位置が特定される前記音情報表示領域での段数を示す段数データを記録した構成で前記情報コードを生成し、
前記情報コード読取装置の前記記録音特定部は、前記データ記録領域又は前記音情報表示領域の周囲領域に記録された前記段数データに基づいて前記音情報表示領域での段数を特定することを特徴とする請求項３５に記載の情報コード利用システム。
【発明の詳細な説明】
【技術分野】
【０００１】
本発明は、情報コードの生成方法、情報コード、情報コード読取装置、及び情報コード利用システムに関するものである。
【背景技術】
【０００２】
現在では、情報コードの用途が多様化しており、コード領域内に写真や図などを配置するような技術も提案されている。例えば、特許文献１の技術では、２次元コードにおいて単一の値として読み取られる領域を形成するビット列を逆変換した逆変換ビット列を求め、逆変換ビット列を２次元コードのフォーマット情報に基づいて変換して２次元コードを生成することにより、単一の階調値から構成されたデザイン領域を有する特殊２次元コードを生成している。
【先行技術文献】
【特許文献】
【０００３】
【特許文献１】特許第５０５７５６０号公報
【発明の概要】
【発明が解決しようとする課題】
【０００４】
上記特許文献１の技術では、例えば、デザイン領域が白のモジュールにより構成されている特殊２次元コードの場合には、白として読み取られる範囲の階調値から構成されたデザインがデザイン領域に形成されるように特殊２次元コードと所与のデザインデータとを合成している。一方、デザイン領域が例えば黒のモジュールにより構成されている特殊２次元コードの場合には、黒として読み取られる範囲の階調値から構成されたデザインがデザイン領域に形成されるように特殊２次元コードと所与のデザインデータとを合成している。しかしながら、特許文献１の技術では、一度設定されたデザイン領域をデータ記録領域とは異なる方法で利用するという思想がなく、この点で利便性が損なわれていた。
【０００５】
他方、本願の発明者は、情報コードの新規な使い方として、所望の音データをコード領域内に記録しておき、その音データを読み取ることで音データに応じた音楽等を発する方法を着想した。しかしながら、このような音データを一般的な方法によってデータ記録領域内に記録してしまうと、見た目では通常の情報コードと区別できなくなるため、折角の特殊データが視覚的に埋もれてしまい、特殊データが存在することを利用者に認識させにくくなってしまう。
【０００６】
本発明は、上述した課題を解決するためになされたものであり、データ記録領域とは異なる方法で表現される領域を音データの記録領域として利用することができ、且つコード領域内に特殊データが記録されていることを利用者が視覚的に認識しやすい構成を提供することを目的とする。
【課題を解決するための手段】
【０００７】
第１の発明は、所定のコード領域の内部に情報を表示する単位となるセルを配列した情報コードを情報コード生成装置によって生成する情報コード生成方法であって、
前記コード領域の内部に、予め定められた形状の特定パターンが配置される特定パターン領域と、複数種類の前記セルによってデータを記録するデータ記録領域と、前記データ記録領域によるデータの記録方法とは異なる方法で複数の音を所定図形によって表現する音情報表示領域とを設けることを特徴とする。
【０００８】
第２の発明は、所定のコード領域の内部に情報を表示する単位となるセルを配列した情報コードであって、
前記コード領域の内部に、予め定められた形状の特定パターンが配置される特定パターン領域と、複数種類の前記セルによってデータを記録するデータ記録領域と、前記データ記録領域によるデータの記録方法とは異なる方法で複数の音を所定図形によって表現する音情報表示領域とが設けられていることを特徴とする。
【０００９】
第３の発明は、所定のコード領域の内部に情報を表示する単位となるセルを配列した情報コードを読み取る情報コード読取装置であって、
前記情報コードは、前記コード領域の内部に、予め定められた形状の特定パターンが配置される特定パターン領域と、複数種類の前記セルによってデータを記録するデータ記録領域と、前記データ記録領域によるデータの記録方法とは異なる方法で複数の音を所定図形によって表現する音情報表示領域とが設けられた構成であり、
前記情報コードを撮像可能な撮像部と、
前記撮像部によって前記情報コードが撮像された場合に、その撮像された前記情報コードのコード画像における前記データ記録領域の内容に基づいて前記データ記録領域に記録されたデータを読み取るデータ記録領域読取部と、
前記コード画像内の前記音情報表示領域に表された前記所定図形に基づいて、前記音情報表示領域に記録された複数の音を特定する記録音特定部と、
を有することを特徴とする。
【００１０】
第４の発明は、所定のコード領域の内部に情報を表示する単位となるセルを配列した情報コードを生成する情報コード生成装置と、
前記情報コード生成装置によって生成された前記情報コードを読み取る情報コード読取装置と、
を備えた情報コード利用システムであって、
前記情報コード生成装置は、
前記コード領域の内部に、予め定められた形状の特定パターンが配置される特定パターン領域と、複数種類の前記セルによってデータを記録するデータ記録領域と、前記データ記録領域によるデータの記録方法とは異なる方法で複数の音を所定図形によって表現する音情報表示領域とを設けた構成で前記情報コードを生成し、
前記情報コード読取装置は、
前記情報コードを撮像可能な撮像部と、
前記撮像部によって前記情報コードが撮像された場合に、その撮像された前記情報コードのコード画像における前記データ記録領域の内容に基づいて前記データ記録領域に記録されたデータを読み取るデータ記録領域読取部と、
前記コード画像内の前記音情報表示領域に表された前記所定図形に基づいて、前記音情報表示領域に記録された複数の音を特定する記録音特定部と、
を有することを特徴とする。
【発明の効果】
【００１１】
請求項１の発明によれば、データ記録領域とは異なる方法で表現される領域を音データの記録領域として利用することができ、且つコード領域内に特殊データが記録されていることを利用者が視覚的に認識しやすい構成を実現することができる。
【００１２】
請求項２の発明によれば、コード領域の内部においてデータ記録領域及び特定パターン領域以外の位置にセルによって解読対象データが記録されない領域（空き領域）を確保することができ、この空き領域の内容を、解読対象データとは別の音情報として事後的に利用することができる。空き領域はセルによって解読対象データが記録されない領域であるため、音情報表示領域がセルの影響を受け難くなり、音情報表示領域をより自由に構成し易くなる。
【００１３】
請求項３の発明によれば、各音に対応する各所定図形の位置を把握させることで各音の高さを把握させることができ、ひいては、音情報表示領域に記録されたメロディを読取装置側に伝達し得る情報コードを実現することができる。
【００１４】
請求項４の発明によれば、音情報表示領域で表現される複数の音の演奏方法を読取装置側に伝達し得る情報コードを実現できる。
【００１５】
請求項５の発明によれば、演奏音源、演奏速度、演奏可能な音の高さの数の少なくともいずれかの具体的内容を読取装置側に伝達することができ、より自由なメロディを利用しやすくなる。
【００１６】
請求項６の発明によれば、情報コードの利用者が、記入位置を見ることで音情報表示領域に記録された複数の音の演奏方法を視覚的に認識し易く、読取装置が記入位置の認識によって演奏方法を把握し易い情報コードを実現することができる。
【００１７】
請求項７の発明によれば、所定図形の色彩又は形状によって演奏方法を指定できるため、演奏方法を特定するための複雑なデータを多数用いることなく、より自由なメロディを利用しやすくなる。
【００１８】
請求項８の発明によれば、位置データの読み取りによって音情報表示領域の位置がより正確に特定されやすい情報コードを実現できる。
【００１９】
請求項９の発明によれば、音情報表示領域の段数を生成側で任意に設定することができ、設定された段数を読取側で把握し得る情報コードを実現することができる。
【００２０】
請求項１０の発明によれば、データ記録領域とは異なる方法で表現される領域を音データの記録領域として利用することができ、且つコード領域内に特殊データが記録されていることを利用者が視覚的に認識しやすい構成を実現することができる。
【００２１】
請求項１１の発明によれば、コード領域の内部においてデータ記録領域及び特定パターン領域以外の位置にセルによって解読対象データが記録されない領域（空き領域）を確保することができ、この空き領域の内容を、解読対象データとは別の音情報として事後的に利用することができる。空き領域はセルによって解読対象データが記録されない領域であるため、音情報表示領域がセルの影響を受け難くなり、音情報表示領域をより自由に構成し易くなる。
【００２２】
請求項１２の発明によれば、各音に対応する各所定図形の位置を把握させることで各音の高さを把握させることができ、ひいては、音情報表示領域に記録されたメロディを読取装置側に伝達し得る情報コードを実現することができる。
【００２３】
請求項１３の発明によれば、音情報表示領域で表現される複数の音の演奏方法を読取装置側に伝達し得る情報コードを実現できる。
【００２４】
請求項１４の発明によれば、演奏音源、演奏速度、演奏可能な音の高さの数の少なくともいずれかの具体的内容を読取装置側に伝達することができ、より自由なメロディを利用しやすくなる。
【００２５】
請求項１５の発明によれば、情報コードの利用者が、記入位置を見ることで音情報表示領域に記録された複数の音の演奏方法を視覚的に認識し易く、読取装置が記入位置の認識によって演奏方法を把握し易い情報コードを実現することができる。
【００２６】
請求項１６の発明によれば、所定図形の色彩又は形状によって演奏方法を指定できるため、演奏方法を特定するための複雑なデータを多数用いることなく、より自由なメロディを利用しやすくなる。
【００２７】
請求項１７明によれば、位置データの読み取りによって音情報表示領域の位置がより正確に特定されやすい情報コードを実現できる。
【００２８】
請求項１８明によれば、音情報表示領域の段数を生成側で任意に設定することができ、設定された段数を読取側で把握し得る情報コードを実現することができる。
【００２９】
請求項１９発明によれば、データ記録領域とは異なる方法で表現された音情報表示領域を備えた情報コードを読み取り対象とする読取装置を実現できる。特に、本読取装置の実現により、コード領域内に特殊データが記録されていることを利用者が視覚的に認識しやすい形で情報コードを利用することが可能となるため、デザイン性や利便性を高めやすくなる。
【００３０】
請求項２０の発明によれば、コード領域内においてデータ記録領域及び特定パターン領域以外の位置にセルによって解読対象データが記録されない領域（空き領域）が確保され、この空き領域が音情報表示領域として利用された情報コードを読取対象として、その情報コードのデータ記録領域の内容、及び音情報表示領域を事後的に利用し得る構成となる。
【００３１】
請求項２１の発明によれば、各音に対応する各所定図形の位置を把握することで各音の高さを把握することができ、ひいては、音情報表示領域に記録されたメロディをより確実に把握し易い構成を実現することができる。
【００３２】
請求項１１の発明によれば、音情報表示領域で表現される複数の音の演奏方法を具体的に把握し得る読取装置を実現できる。
【００３３】
請求項２３の発明によれば、演奏音源、演奏速度、演奏可能な音の高さの数の少なくともいずれかを把握することができ、音情報表示領域で表現される複数の音の演奏方法をより詳細に特定し得る読取装置を実現できる。
【００３４】
請求項２４の発明によれば、音情報表示領域の周囲領域に設けられた記入領域を解析することで演奏方法をより正確に把握することができる。
【００３５】
請求項２５の発明によれば、各音を表現する各所定図形の色彩又は形状を認識することで、各音の演奏方法をより正確に特定することができる。
【００３６】
請求項２６の発明によれば、データ記録領域の読取結果から得られる位置データに基づいてコード画像内での音情報表示領域の位置をより正確に特定することが可能となる。
【００３７】
請求項２８の発明によれば、生成側で任意に設定された音情報表示領域の段数を、読取側でより正確に特定することができ、生成の際に想定された段数に従ってメロディを把握し得る読取装置を実現することができる。
【００３８】
請求項２８の発明によれば、データ記録領域とは異なる方法で表現される領域を音データの記録領域として利用することができ、且つコード領域内に特殊データが記録されていることを利用者が視覚的に認識しやすい構成を実現することができる。
【００３９】
請求項２９の発明によれば、コード領域の内部においてデータ記録領域及び特定パターン領域以外の位置にセルによって解読対象データが記録されない領域（空き領域）を確保することができ、この空き領域の内容を、解読対象データとは別の音情報として事後的に利用することができる。空き領域はセルによって解読対象データが記録されない領域であるため、音情報表示領域がセルの影響を受け難くなり、音情報表示領域をより自由に構成し易くなる。
【００４０】
請求項３０の発明によれば、情報コードに表された各所定図形の位置を読取装置に把握させることで読取装置に各音の高さを認識させることができ、ひいては、情報コードの音情報表示領域に記録されたメロディを読取装置に良好に伝達し得る構成を実現することができる。
【００４１】
請求項３１の発明によれば、情報コードを媒介として音情報表示領域で表現される複数の音の演奏方法を読取装置側に良好に伝達し得る構成となる。
【００４２】
請求項３２の発明によれば、情報コードを媒介として、演奏音源、演奏速度、演奏可能な音の高さの数の少なくともいずれかを読取装置側に良好に伝達することができ、メロディを演奏する上での制約をより抑えることができる。
【００４３】
請求項３３の発明によれば、情報コードを利用する利用者が、情報コード内に記入された記入位置を見ることで音情報表示領域に記録された複数の音の演奏方法を視覚的に認識し易くなり、読取装置側では、記入位置の認識によって演奏方法をより正確に把握し易くなる。
【００４４】
請求項３４の発明によれば、情報コードを生成する際に、所定図形の色彩又は形状によって演奏方法を指定できるため、演奏方法を特定するための複雑なデータを多数用いることなく、より自由なメロディを利用しやすくなる。
【００４５】
請求項３５の発明によれば、情報コード内に記録された位置データの存在により、読み取りの際には、音情報表示領域の位置がより正確に特定されやすくなる。
【００４６】
請求項３６の発明によれば、音情報表示領域の段数を生成側で任意に設定することができ、読取装置側では、生成の際に想定された段数に従ってメロディを把握することができる。
【図面の簡単な説明】
【００４７】
【図１】図１は、本発明の第１実施形態に係る情報コード利用システムを概略的に例示する概略図である。
【図２】図２は、図１の情報コード利用システムを構成する情報コード読取装置の電気的構成を概略的に例示するブロック図である。
【図３】図３は、図１の情報コード利用システムで用いられる情報コードのデータ構成を概念的に説明する説明図である。
【図４】図４は、図１の情報コード利用システムで用いられる情報コードと対応する他種のコードを説明する説明図である。
【図５】図５は、図１の情報コード利用システムを構成する情報コード生成装置で生成される情報コードでの各データワードの配置と、他種のコードでの各データワードの配置との対応関係を説明する説明図である。
【図６】図６は、図１の情報コード利用システムで用いられる情報コードのフォーマットデータを概念的に説明する説明図である。
【図７】図７は、図１の情報コード利用システムを構成する情報コード生成装置での情報コードの生成の流れを例示するフローチャートである。
【図８】図８は、図１の情報コード利用システムを構成する情報コード読取装置での情報コードの読み取りの流れを例示するフローチャートである。
【図９】図９は、図１の情報コード利用システムで用いられる情報コードを概略的に示す概略図である。
【図１０】図１０は、図９の情報コードの使用例を示す説明図である。
【図１１】図１１は、図９の情報コードの構成、特に空き領域内の位置関係等を概念的に説明する説明図である。
【図１２】図１２は、図９の情報コードに設けられた音情報表示領域に関連するデータを説明する説明図である。
【図１３】図１３は、第１実施形態の変形例１に係る情報コード利用システムで用いられる情報コードを説明する説明図である。
【図１４】図１４は、第１実施形態の変形例２に係る情報コード利用システムで用いられる情報コードを説明する説明図である。
【図１５】図１５は、第１実施形態の変形例３に係る情報コード利用システムで用いられる情報コードを説明する説明図である。
【図１６】図１６は、第２実施形態に係る情報コード利用システムで用いられる情報コードを説明する説明図であり、図１６（Ａ）は、空き領域を空白にした状態を示す図であり図１６（Ｂ）は、空き領域に音情報表示領域を設けた状態を示す図である。
【図１７】図１７は、第３実施形態に係る情報コード利用システムで用いられる情報コードを説明する説明図であり、図１７（Ａ）は、空き領域を空白にした状態を示す図であり図１７（Ｂ）は、空き領域に音情報表示領域を設けた状態を示す図である。
【図１８】図１８（Ａ）は、図１６の情報コードにおける解読対象データのデータ構成を概念的に示す説明図であり、図１８（Ｂ）は、図１７の情報コードにおける解読対象データのデータ構成を概念的に示す説明図であり、
【図１９】図１９（Ａ）は、他の実施形態に係る情報コード利用システムで用いられる情報コードを説明する説明図であり、図１９（Ｂ）は、図１９（Ａ）とは異なる情報コードを説明する説明図である。
【図２０】図２０は、図１の情報コード利用システムを構成する情報コード生成装置で生成される情報コードでの各データワードの配置と、他種のコードでの各データワードの配置との対応関係を説明する説明図であり、図５とは異なる対応関係に変更した図である。
【発明を実施するための形態】
【００４８】
[第１実施形態]
以下、本発明を具現化した第１実施形態について、図面を参照して説明する。
図１に示す情報コード利用システム１は、所定のコード領域の内部に情報を表示する単位となるセルを配列した情報コード１００を生成する情報コード生成装置２と、情報コード生成装置２によって生成された情報コード１００を読み取る情報コード読取装置１０とを備えた構成をなしている。
【００４９】
（情報コード生成装置）
情報コード生成装置２は、例えばパーソナルコンピュータ等の情報処理装置として構成されており、ＣＰＵなどからなる制御部３と、キーボード、マウス、その他の入力装置からなる操作部４と、ＲＯＭ、ＲＡＭ、ＨＤＤ、不揮発性メモリ等の記憶装置からなる記憶部５と、公知の表示装置（液晶ディスプレイやその他の表示デバイス）などからなる表示部６と、外部装置と有線通信或いは無線通信を行うための通信インタフェースとして機能する通信部７と、公知のプリンタ等と同様のハードウェア構成をなし且つ制御部３からの印刷データに基づいて情報コード１００等を印刷可能な印刷部８（印刷装置）とを備えている。
【００５０】
（情報コード読取装置）
次に、情報コード読取装置１０の全体構成について説明する。図２に示すように、情報コード読取装置１０は、ハードウェア的には二次元コードを読取可能なコードリーダ、或いは携帯電話機やスマートフォンなどの携帯型情報処理端末などとして構成されており、図示しないケースによって外郭が構成され、このケース内に各種電子部品が収容された構成をなしている。
【００５１】
この情報コード読取装置１０は、主に、照明光源２１、受光センサ２３、フィルタ２５、結像レンズ２７等の光学系と、メモリ３５、制御回路４０、操作スイッチ４２、液晶表示装置４６等のマイクロコンピュータ（以下「マイコン」という）系と、電源スイッチ４１、電池４９等の電源系と、から構成されている。なお、これらは、図略のプリント配線板に実装あるいはケース（図示略）内に内装されている。
【００５２】
光学系は、照明光源２１、受光センサ２３、フィルタ２５、結像レンズ２７等から構成されている。照明光源２１は、照明光Ｌｆを発光可能な照明光源として機能するもので、例えば、赤色のＬＥＤとこのＬＥＤの出射側に設けられる拡散レンズ、集光レンズ等とから構成されている。本実施形態では、受光センサ２３を挟んだ両側に照明光源２１が設けられており、ケースに形成された読取口（図示略）を介して読取対象物Ｒに向けて照明光Ｌｆを照射可能に構成されている。この読取対象物Ｒとしては、例えば、樹脂材料、金属材料等の様々な対象が考えられ、このような読取対象物Ｒに例えば図１のような情報コード１００（後述）が印刷などによって形成されている。
【００５３】
受光センサ２３は、情報コード１００（後述）を撮像可能な「撮像部」の一例に相当し、読取対象物Ｒや情報コード１００に照射されて反射した反射光Ｌｒを受光可能に構成されるもので、例えば、Ｃ−ＭＯＳやＣＣＤ等の固体撮像素子である受光素子を２次元に配列したエリアセンサが、これに相当する。この受光センサ２３は、結像レンズ２７を介して入射する入射光を受光面２３ａで受光可能に図略のプリント配線板に実装されている。
【００５４】
フィルタ２５は、例えば反射光Ｌｒの波長相当以下の光の通過を許容し、当該波長相当を超える光の通過を遮断し得る光学的なローパスフィルタで、ケースに形成された読取口（図示略）と結像レンズ２７との間に設けられている。これにより、反射光Ｌｒの波長相当を超える不要な光が受光センサ２３に入射することを抑制している。また、結像レンズ２７は、例えば、鏡筒とこの鏡筒内に収容される複数の集光レンズとによって構成されており、本実施形態では、ケースに形成された読取口（図示略）に入射する反射光Ｌｒを集光し、受光センサ２３の受光面２３ａに情報コード１００のコード画像を結像するように構成されている。
【００５５】
マイコン系は、増幅回路３１、Ａ／Ｄ変換回路３３、メモリ３５、アドレス発生回路３６、同期信号発生回路３８、制御回路４０、操作スイッチ４２、ＬＥＤ４３、ブザー４４、液晶表示装置４６、通信インタフェース４８等から構成されている。このマイコン系は、マイコン（情報処理装置）として機能し得る制御回路４０及びメモリ３５を中心として構成され、前述した光学系によって撮像された情報コード１００の画像信号をハードウェア的およびソフトウェア的に信号処理し得るものである。
【００５６】
光学系の受光センサ２３から出力される画像信号（アナログ信号）は、増幅回路３１に入力されることで所定ゲインで増幅された後、Ａ／Ｄ変換回路３３に入力され、アナログ信号からディジタル信号に変換される。そして、ディジタル化された画像信号、つまり画像データ（画像情報）は、メモリ３５に入力され、当該メモリ３５の画像データ蓄積領域に蓄積される。なお、同期信号発生回路３８は、受光センサ２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００５７】
メモリ３５は、半導体メモリ装置などによって構成され、例えばＲＡＭ（ＤＲＡＭ、ＳＲＡＭ等）やＲＯＭ（ＥＰＲＯＭ、ＥＥＰＲＯＭ等）等がこれに相当する。このメモリ３５のうちのＲＡＭには、前述した画像データ蓄積領域のほかに、制御回路４０が算術演算や論理演算等の各処理時に利用する作業領域や読取条件テーブルも確保可能に構成されている。またＲＯＭには、後述する読取処理等を実行可能な所定プログラムやその他、照明光源２１、受光センサ２３等の各ハードウェアを制御可能なシステムプログラム等が予め格納されている。
【００５８】
制御回路４０は、情報コード読取装置１０全体を制御可能なマイコンで、ＣＰＵ、システムバス、入出力インタフェース等からなるものであり、情報処理機能を有している。この制御回路４０には、内蔵された入出力インタフェースを介して種々の入出力装置（周辺装置）が接続されており、本実施形態の場合、電源スイッチ４１、操作スイッチ４２、ＬＥＤ４３、ブザー４４、液晶表示装置４６、通信インタフェース４８等が接続されている。また、通信インタフェース４８には、情報コード読取装置１０の上位システムに相当するホストコンピュータＨＳＴなどを接続できるようになっている。
【００５９】
電源系は、電源スイッチ４１、電池４９等により構成されており、制御回路４０により管理される電源スイッチ４１のオンオフによって、上述した各装置や各回路に、電池４９から供給される駆動電圧の導通や遮断が制御されている。なお、電池４９は、所定の直流電圧を発生可能な２次電池で、例えば、リチウムイオン電池等がこれに相当する。
【００６０】
（情報コード）
次に、図１の情報コード利用システムで利用される情報コード１００について図１、図５等を参照して説明する。なお、図１の例と図５右図の例では、セル配列や特定パターンのサイズ等が若干異なるが基本的な考えは同様であり、同様の特徴を有している。図１、図５等に示す情報コード１００は、例えば上述の情報コード生成装置２によって生成されるものであり、所定のコード領域の内部に情報を表示する単位となるセル１０２を配列した構成となっている。なお、図１、図５等の情報コード１００において、「コード領域」は、複数配列された暗色セルを全て含み得る矩形状の領域であり、具体的には、３つの位置検出パターン（切り出しシンボル）１０４を全て含む最小の正方形領域又は長方形領域となっている。なお、図１、図５等の例では、複数のセル１０２が、矩形状（例えば外径が正方形状）の明色（白色）セル及び暗色（黒色）セルのいずれかによって構成されており、コード領域の内部において後述する空き領域１１０の周囲にこれらセル１０２がマトリックス状に配置されている。明色セル及び暗色セルは、それぞれ白色セル、黒色セルに限られるものではなく、暗色セルが所定の明度で構成される場合、明色セルはそれよりも明度が高ければよい。また、情報コード１００において上記コード領域の周囲には、当該コード領域を取り囲むように明色又は暗色のマージン領域が構成されるようになっており、図１、図５等の例では、明色（例えば、白色或いは暗色セルよりも明度の大きい他色）のマージン領域がコード領域の周囲に隣接して配置されている。
【００６１】
この情報コード１００は、矩形状（例えば、正方形状或いは長方形状等）のコード領域の内部に、予め定められた形状の特定パターンが配置される特定パターン領域と、複数種類のセル１０２によってデータを記録するデータ記録領域と、複数種類のセル１０２によって誤り訂正符号を記録する誤り訂正符号記録領域とが設けられている。図１、図５等のように、情報コード１００の特定パターンは、例えば、ＱＲコード（登録商標）の公知の所定型番（図５の例では、ＪＩＳ等で規格化されたＱＲコードの所定型番）の特定パターンと同一の形状及び位置となっており、図１、図５等の例では、コード領域の３つの角部にそれぞれ、特定パターンとしての位置検出パターン（切り出しシンボル）１０４が配置されている。また、ＱＲコードと同様のタイミングパターンやアライメントパターンなどが特定パターンとして設けられていてもよい。このように、情報コード１００では、予め定められた位置に決まった形状の特定パターン（図１の例では位置検出パターン１０４）が配置されるようになっている。なお、コード領域の内部において、後述する空き領域１１０以外の位置は、このような特定パターンの領域、記録領域（データ記録領域及び誤り訂正符号記録領域のいずれかからなる領域）などによって構成されている。
【００６２】
情報コード１００のセルの行数及び列数、特定パターンの形状及び位置、フォーマット情報の位置、コードワードの候補位置（コードワードの配置順序を特定するアドレス）等は読取装置がどのような方法で把握してもよい。例えば、情報コード１００の種別において複数の型番が設けられていてもよく、この場合、型番毎にセルの行数及び列数、特定パターンの形状及び位置、フォーマット情報の位置、コードワードを配置する候補位置（アドレス）が予め定められていればよい。そして、上記型番を特定する型番情報がコード領域内の決められた位置（予約領域）に配置されていれば、読取装置はこの型番情報に基づいて情報コード１００のセルの行数及び列数、特定パターンの形状及び位置、フォーマット情報の位置、コードワードの候補位置（アドレス）を把握できるようになる。なお、この方法に限定されるものではなく、読取装置が把握し得る方法であれば他の方法でもよい。
【００６３】
そして、コード領域の内部において、特定パターン領域、データ記録領域、誤り訂正符号記録領域以外の位置には、セル１０２によって解読対象データが記録されない領域であり且つ誤り訂正符号による誤り訂正の対象にならない領域である空き領域１１０が、単一のセル１０２のサイズよりも大きいサイズで設けられている。なお、図１、図５等の例では、データ記録領域、誤り訂正符号記録領域がコード領域の周縁に沿って環状且つ矩形状に配置されており、コード領域の中央部（コード領域の中心を含む所定領域）に空き領域１１０が円形状に構成されている。なお、「セル１０２によって解読対象データが記録されない領域」とは、データ記録領域に記録されたデータの中でデコード対象となるデータ（解読対象データ）が記録されていない領域を意味しており、空き領域１１０は、このような解読対象データが記録されない領域となっている。より具体的には、空き領域１１０は、後述するデータコードワードや誤り訂正コードワードなどのコードワードが記録されない領域となっており、且つフォーマット情報が記録されない領域となっている。また、空き領域１１０は、「誤り訂正符号による誤り訂正の対象にならない領域」となっており、即ち、誤り訂正符号記録領域に記録された誤り訂正符号を用いた誤り訂正が行われない領域となっている。従って、空き領域１１０に何らかの情報（後述する追加情報等）が記録されていても、空き領域１１０の周囲に存在する誤り訂正符号記録領域の誤り訂正符号によってその情報に対する誤り訂正がなされることはない。
【００６４】
なお、以下の説明では、図５右図のような上記所定型番に対応する構成と、図５左図のような所定型番よりもサイズが小さい別の型番（Ｖｅｒ．番号）とが対応付けられ、図５右図の情報コード１００の各コードワードの位置と、図５左図の他種コード１２０の各コードワードの位置とが図５下図のような配置変換表によって対応付けられている例を代表例として説明する。この例では、図５左図の他種コード１２０で格納し得るデータ量であれば、図５右図のような情報コード１００により空き領域１１０を設けた上で表現できるようになっている。逆に、図５右図の情報コード１００を読み取る場合には、情報コード１００の各コードワードを、図５左図のような他種コード１２０のコードワードとして読み取ることができるようになっている。
【００６５】
また、図５右図では、空き領域１１０の周囲に配置される各コードワードの領域を一点鎖線枠や破線枠等によって概念的に示している。また、フォーマット情報を記録する領域（所定位置１０５）は、所定種類のハッチングにて概念的に示している。なお、図５右図では、フォーマット情報を記録する領域や、コードワードを記録する領域では、升目のみを示し、明色セルや暗色セルの具体的配列を省略して示している。また、図５右図の例では、セル配列と対応付けるべく空き領域１１０（コード領域の中央部分）の内部にも升目を付しているが、空き領域１１０の構成は自由であり、図１のように構成してもよく、その他の構成であってもよい。
【００６６】
フォーマット情報（形式情報）は、例えば図６のように構成され、図５に示す情報コード１００内の所定位置１０５（所定種類のハッチング位置）に特定のフォーマット構成で記録されている。このフォーマット情報は、誤り訂正レベルを特定する訂正レベル情報と、マスク番号を特定するマスク番号情報とを含んでいる。訂正レベル情報は、情報コード１００で用いる誤り訂正レベルを特定する情報であり、例えば他種コード１２０に変換して読み取る場合の当該他種コード１２０で用いる誤り訂正レベルにも相当する。また、マスク番号は、情報コード１００のコードワード領域（データコードワードや誤り訂正コードワードが記録されている領域）にかけられているマスクがどのマスク種別であるかを特定する情報である。
【００６７】
図６に示すようにフォーマット情報は、所定種類のマスクパターン（特定マスク）を反映した状態で記録されており、公知のＱＲコードと同様の方法でフォーマット情報のマスク種別を識別することで、図５右図に示すような特定のコード種別（空き領域１１０を設けた種別）であること検出できるようになっている。公知規格のＱＲコードでは、例えばモデル１として構成する場合には、図６のようなフォーマット情報に対してモデル１用のマスクをかけたときに表現されるデータ（セル配列）を所定位置に記録し、モデル２として構成する場合には、図６のようなフォーマット情報に対してモデル２用のマスクをかけたときに表現されるデータ（セル配列）を所定位置に記録するようになっている。一方、図５に示す本実施形態の情報コード１００（空き領域１１０を有する特別種類のコード）では、図６のようなフォーマット情報に対してモデル１、２とは異なる種類の特定マスク（図６では額縁ＱＲ用と例示）をかけたときに表現されるデータ（セル配列）を所定位置１０５に記録するようになっている。そして、公知規格のモデル１及びモデル２、情報コード１００の種別のいずれの場合でも、記録する訂正レベル（訂正レベル情報）及びマスク番号（マスク番号情報）に対応するチェックデジットが付された上でフォーマット情報が構成されており、その上で各種別用のマスクがかけられるようになっている。具体的には、各種別用のマスクパターンを用いて公知の方法でマスク処理が行われ、マスク処理後のビットパターンが所定位置１０５に記録されるようになっている。従って、情報コード１００のようにフォーマット情報に対して特定マスク（図６では額縁ＱＲ用と例示）をかけた上で所定位置１０５に記録する場合、このように所定位置１０５に記録された情報を上記特定マスクに基づいてマスク処理を解除して解読すればチェックデジットが合うため、情報コード１００の種別であること特定することができる。逆に、情報コード１００の所定位置１０５のデータを、モデル１やモデル２のマスクに基づいてマスクを外しても、チェックデジットが合わなくなるため、公知規格のモデル１やモデル２でないことを特定することができる。
【００６８】
この情報コード１００では、特定パターン（位置検出パターン１０４等）を検出し、公知のＱＲコードと同様の方法でコード領域、コードの向き、各セル位置を特定した後、公知のＱＲコードと同様の方法でフォーマット情報が記録された所定位置１０５を解読することで、解読時に成功したマスクの種別により情報コード１００の種別（空き領域１１０を有する特別種類）であることを特定することができる。そして、解読されたフォーマット情報により、情報コード１００で用いる誤り訂正レベルを特定でき、且つ情報コード１００のコードワード領域（セルによってデータコードワードや誤り訂正コードワードが記録されている領域）にかけられているマスク種別を特定できるようになっている。
【００６９】
更に、本構成では、コード領域の内部において、特定パターン領域、データ記録領域、誤り訂正符号記録領域以外の位置に、セルによって解読対象データが記録されない領域であり、且つ誤り訂正符号が記録されない領域である空き領域１１０を、単一のセルのサイズよりも大きいサイズで設けている。そして、空き領域１１０の内部に音情報表示領域１２０を設けている。この音情報表示領域１２０は、データ記録領域によるデータの記録方法とは異なる方法で複数の音を所定図形１２１によって表現している。
【００７０】
情報コード１００に記録する内容は、例えば、図３のような構成をなしており、データ配列の先頭部分にヘッダデータ（額縁ＱＲ用ヘッダー）が設定され、ヘッダデータの後に入力データ（解読対象データ）が続くようになっている。図３の例では、入力データ（解読対象データ）については、例えば公知の方法で圧縮し、データワード（データコードワード）に変換しているが、このような圧縮を行わなくてもよい。なお、情報コード１００で用いるヘッダデータは、以降の説明では、「額縁ＱＲ用ヘッダー」とも称する。また、本明細書では、このようなヘッダデータ及び入力データ（解読対象データ）のデータワード（データコードワード）を記録する領域、及び上述のフォーマット情報を記録する領域が「データ記録領域」に相当する。また、図３の例では、ヘッダデータ（額縁ＱＲ用ヘッダー）として、後述する他種コード１２０（情報コード１００を解読するために用いるコード種別であり、配置変換表（図５）によって情報コード１００と対応付けられたコード）の種別（型番）を特定し得る情報（図３では、Ｖｅｒ．番号と例示）や、空き領域内の形式を特定し得る識別情報が記録されている。
【００７１】
より具体的には、ヘッダデータとして、例えば、他種コードの種類（Ｖｅｒ．番号）に加え、空き領域１１０の活用形式を特定する情報（キャンバス活用形式情報）や、位置情報などが記録されている。具体的には、図１２のような情報が記録されており、空き領域１１０の活用形式を特定する情報（キャンバス活用形式情報）、画像領域の位置を特定する情報、音情報表示領域の位置を特定する情報、音情報表示領域の段数を特定する情報などが記録されている。空き領域１１０の活用形式を特定する情報（キャンバス活用形式情報）は、マークシート領域を含むか否かの情報、画像領域を含むか否かの情報、文字や数字などの記号情報を認識する領域を含むか否かの情報、音情報表示領域を含むか否かの情報がそれぞれ記録されている。また、マークシート領域を含むか否かの情報として、「マークシート領域を含む」旨の情報が記録される場合、その「マークシート領域」の位置を特定する情報（コード領域内でのマークシート領域の座標を特定するマークシート領域位置情報）が記録されるようになっている。同様に、画像領域を含むか否かの情報として、画像領域を含む」旨の情報が記録される場合、その「画像領域」の位置を特定する情報（コード領域内での画像領域の座標を特定するイメージ位置情報）が記録されるようになっている。更に、文字や数字などの記号情報を認識するＯＣＲ領域を含むか否かの情報として、「ＯＣＲ領域を含む」旨の情報が記録される場合、その「ＯＣＲ領域」の位置を特定する情報（コード領域内でのＯＣＲ領域の座標を特定するＯＣＲ領域位置情報）が記録されるようになっている。従って、これらの領域が含まれる場合、読取時には、その領域を特定する位置情報によって領域の具体的な位置を特定できるようになっている。
【００７２】
更に、音情報表示領域を含むか否かの情報として、「音情報表示領域を含む」旨の情報が記録される場合、その「音情報表示領域」の位置を特定する情報（コード領域内での音情報表示領域の座標を特定する譜面位置情報）が記録されるようになっている。また、譜面段組位置を特定する情報や、音情報表示領域に記録された音を演奏する音源を特定する情報や、音情報表示領域に記録された音の高さの数（音階数）を特定する情報や、音情報表示領域に記録された音を演奏する演奏速度を特定する情報（例えば、音と音の間の時間を特定する情報や、全音の演奏時間を特定する情報など）が記録されるようになっている。なお、その他の情報として、ＵＲＬ情報や、Ｅメールアドレス情報なども記録されるようになっている。
【００７３】
本構成では、図９のように、音情報表示領域１２０は、複数の音のそれぞれの高さを、それぞれの音に対応する所定図形１２１の位置によって表現している。例えば図９の音情報表示領域１２０では、横方向に平行に延びる複数の線（具体的には１０本の線）が縦方向に等間隔に配置されており、各線が音の高さに対応している。なお、譜面段組位置を特定する情報は、これら１０本の線の領域を、１段の領域として使用するか、２段の領域として利用するかを特定する情報（段数データ）となっている。例えば、譜面段組位置を特定する情報が「１」であれば、１０本の線の領域を１段の領域として使用することを示し、音情報表示領域１２０において、一番下の線の位置を最も低い音とし、上側の線ほど高い音となるように使用する。また、譜面段組位置を特定する情報が「２」であれば、上側の５本の線の領域を上段の領域として使用し、下側の５本の線の領域をそれに続く下段の領域として使用することを示す。この場合、上側の５本の線の領域（上段の領域）では、一番上の線の位置を最も高い音とし、下側の線ほど低い音となるように使用する。また、下側の５本の線の領域（下段の領域）では、一番上の線の位置を最も高い音（上段の一番上の線の高さと同じ音）とし、下側の線ほど低い音となるように使用する。
【００７４】
また、本構成では、図１２のように記録される「音源を特定する情報」により１又は複数の音源が特定され、読取装置１０ではその音源にて、音情報表示領域１２０に記録された音を演奏できるようになっている。例えば、「音源を特定する情報」として「ピアノ」が記録される場合、そのピアノの音源で、音情報表示領域１２０に記録された音が演奏されることになる。また、「演奏速度を特定する情報」として、例えば、音と音の間の時間を特定する情報や、全音の演奏時間を特定する情報などが記録されるようになっており、読取装置１０ではその情報で特定された演奏速度にて、音情報表示領域１２０に記録された音を演奏できるようになっている。また、図１２のように「演奏可能な音の高さの数」を指定する情報（例えば、五音とするか、十音とするかを指定する情報）が記録されるようになっており、読取装置１０ではその「演奏可能な音の高さの数」で特定された音数で、音情報表示領域１２０に記録された音を演奏できるようになっている。なお、音数は、１０本の線の領域を１段の領域として使用する場合、例えば１０音として記録すれば各線の位置を各音の位置として認識することができる。また、５本の線の領域を１段の領域として使用し、上下２段の領域として使用する場合、例えば５音として記録すれば各線の位置を各音の位置として認識することができる。
【００７５】
図３に示すデータ構成では、入力データ（解読対象データであるデータワード）の後には誤り訂正符号となる誤り訂正コードワード（ＥＣＣワード）が続いている。情報コード１００では、この誤り訂正符号を記録する領域が誤り訂正符号記録領域となる。なお、データワード（図３の例ではヘッダデータ及び入力データ（解読対象データ））に基づいて誤り訂正符号（誤り訂正コードワード）を生成する方法は、公知の二次元コード（ＱＲコード等）の規格で定められた方法などを用いることができる。例えば、データワード（データコードワード）に基づいて誤り訂正コードワードを生成する方法として、ＪＩＳＸ０５１０：２００４に規定された誤り訂正コード語の生成方法（ＪＩＳＸ０５１０：２００４、８．５誤り訂正）などを用いることができる。なお、誤り訂正コードワードの生成方法はこれに限られず、公知の様々な方法を用いることができる。
【００７６】
また、情報コード１００では、解読対象データを表現する各データワード（データコードワード）や誤り訂正コードワードが予め定められた配置位置情報に基づいてコード領域内に配置されている。本構成では、図５のように、情報コード１００のコード領域内において予め各コードワードの配置候補位置が定められており、各配置候補位置にそれぞれ番号（アドレス）が割り当てられている。そして、配置位置情報は、図３に示す記録内容を構成する各コードワードをそれぞれどの配置候補位置に配置すべきかを特定する情報となっている。なお、図５右図の例では、１〜２５番の配置候補位置を概略的に例示しており、各配置候補位置では、先頭と最後のビット部分に番号を付して明示している。また、図５右図では、２６番以降の配置候補位置は省略している。
【００７７】
具体的には、他種コード１２０（公知のＱＲコード）の型番（図３に示すヘッダデータで特定される他種コード１２０の型番）では、各順番のコードワードを他種コード１２０内のどの位置に配置すべきかが公知規格等により予め定められており、他種コード１２０を解読する場合にはこのように定められた配置に基づいて各順番のコードワードを解読する。例えば、図５左図に示す他種コード１２０の例では、０番目のコードワードを右下に配置し、１番目のコードワードをその上に配置し、２番目のコードワードをその上に配置するといった具合に各コードワードの配置位置が予め決められている。従って、この他種コード１２０を解読する場合には、このように決められた配置に基づいて０番目のコードワード、１番目のコードワード、２番目のコードワード、３番目のコードワード・・・といった具合に順番に解読することになる。
【００７８】
一方、図５に示す配置位置情報（配置変換表）では、このように他種コード１２０で予め定められた各配置位置（各順番のコードワードの配置位置）の番号を、情報コード１００において予め定められた候補位置（各コードワードの配置候補位置）の番号にそれぞれ対応付けている。具体的には、「他種コード１２０における１番目のコードワードの配置位置が情報コード１００の１番目の配置候補位置に相当」、「他種コード１２０における２番目のコードワードの配置位置が情報コード１００の２番目の配置候補位置に相当」、「他種コード１２０における３番目のコードワードの配置位置が情報コード１００の３番目の配置候補位置に相当」といった情報が、例えばテーブルデータなどとしてそれぞれ記録されており、他種コード１２０における各番号のコードワードの配置位置を、情報コード１００の各配置候補位置にそれぞれ対応付けている。このように構成されているため、情報コード１００を解読する場合には、コード領域内の各配置候補位置のコードワード（各アドレスのコードワード）を配置位置情報（配置変換表）で対応付けられた他種コード１２０の各配置位置にそれぞれ配置し直し、このように配置し直された他種コード１２０を公知の方法で解読すれば良い。例えば、図５下図に示す配置変換表を用いて情報コード１００の解読を行う場合、情報コード１００の１番目の配置候補位置のコードワードを他種コード１２０における１番目のコードワードの配置位置に配置し、情報コード１００の２番目の配置候補位置のコードワードを他種コード１２０における２番目のコードワードの配置位置に配置し、情報コード１００のＮ番目の配置候補位置のコードワードを他種コード１２０において当該Ｎ番目の配置候補位置に対応付けられているＭ番目のコードワードの配置位置に配置するといった具合にそれぞれ配置し直した上で、このように配置し直された他種コード（ＱＲコード）を公知の方法で解読すればよい。なお、上述の配置位置情報（配置変換表）については、情報コード１００を生成する情報コード生成装置２及び情報コード１００を読み取る情報コード読取装置１０に共通のデータ（共通の配置変換表）がそれぞれ設けられていることが望ましい。
【００７９】
（情報コードの生成処理）
次に、図７等を参照して情報コード生成処理及び情報コード生成方法について説明する。以下では、図５のように他種コード１２０がＱＲコード（登録商標）であり、情報コード１００がＱＲコードと同様の特定パターンを有する場合を例に挙げて説明する。なお、この例では、空き領域１１０を有する情報コード１００を「額縁ＱＲ」とも称する。
【００８０】
図７の情報コード生成処理は、情報コード生成装置２によって行われる処理であり、例えば、操作部４での所定操作によって実行開始される。この処理では、まず、外部からコード化するデータ（解読対象データ）と、属性データと、コード種別データ（情報コード１００を生成するか、一般的な二次元コード（例えば一般的なＱＲコード）を生成するかを特定するデータ）を取得する（Ｓ１）。なお、本構成では、制御部３、操作部４が「データ取得部」の一例に相当し、解読対象データ（外部からの入力データ）を取得するように機能する。また、このような例に限らず、例えば、制御部３と通信部７が「データ取得部」として構成され、外部から通信によって入力されるデータを解読対象データとして取得するように機能してもよい。
【００８１】
Ｓ１でデータを取得した後には、その取得したデータを圧縮する方法を公知の方法で定め（Ｓ２）、入力データを圧縮したデータ（解読対象データ）を複数のデータワード（データコードワード）で表現する（Ｓ３）。そして、Ｓ３の後には、Ｓ１で取得されたコード種別データが、空き領域１１０を有する情報コード１００の種別（額縁ＱＲ）であるか否かを判断する。Ｓ１で取得されたコード種別データが、空き領域１１０を有する情報コード１００の種別（額縁ＱＲ）である場合には、Ｓ４にてＹｅｓに進み、空き領域１１０を有する情報コード１００の種別（額縁ＱＲ）で用いられる特有のヘッダデータ（上述）を生成し、図３のように複数のデータワードを含んだデータ配列の先頭にセットする（Ｓ５）。図３のヘッダデータには、上述したように、図５右図に示す他種コード１２０の種別（型番）を特定し得る情報（バージョン番号情報等）や、図１２に示す各情報（空き領域の活用形式を特定する情報や、画像領域や音情報表示領域などの各位置を特定する情報など）が記録されることになる。一方、Ｓ１で取得されたコード種別データが、空き領域１１０を有する情報コード１００の種別（額縁ＱＲ）でない場合（一般的な二次元コードを選択するデータ（例えば、モデル１又はモデル２を選択するデータ）である場合）には、Ｓ４にてＮｏに進む。
【００８２】
Ｓ４でＮｏに進む場合、Ｓ３で生成されたデータワード（データコードワード）の構成に基づいて公知の方法で誤り訂正符号を生成し、この誤り訂正符号を表現する複数の誤り訂正ワード（誤り訂正コードワード）を生成する（Ｓ６）。一方、Ｓ４からＳ５に進む場合、Ｓ３、Ｓ５で生成された最終的なデータワード（ヘッダデータ及び入力データを表現する複数のデータコードワード）の構成に基づいて公知の方法で誤り訂正符号を生成し、この誤り訂正符号を表現する複数の誤り訂正ワード（誤り訂正コードワード）を生成する（Ｓ６）。
【００８３】
Ｓ６の後には、Ｓ１で取得されたコード種別データが、空き領域１１０を有する情報コード１００の種別（額縁ＱＲ）であるか否かを判断し（Ｓ７）、Ｓ１で取得されたコード種別データが、空き領域１１０を有する情報コード１００の種別（額縁ＱＲ）でない場合には、Ｓ７にてＮｏに進み、公知の方法で二次元コード（例えばＱＲコード）を生成することになる。Ｓ７でＮｏに進む場合、Ｓ３で生成されたデータワード（データコードワード）及びＳ６で生成された誤り訂正ワード（誤り訂正コードワード）を格納しうるサイズの二次元コードの型番（この例では、規格化された公知のＱＲコードの複数の型番において、Ｓ３で生成されたデータワード及びＳ６で生成された誤り訂正ワードを格納しうるサイズの型番）を決定し、当該型番で予め定められた配置パターンに従い、Ｓ３で生成されたデータワード及びＳ６で生成された誤り訂正ワードを配置する（Ｓ９）。
【００８４】
一方、Ｓ１で取得されたコード種別データが、空き領域１１０を有する情報コード１００の種別（額縁ＱＲ）である場合には、Ｓ７にてＹｅｓに進み、Ｓ３、Ｓ５で生成されたデータワード（データコードワード）と、Ｓ６で生成された誤り訂正ワード（誤り訂正コードワード）と、空き領域と、を格納しうる情報コード１００の型番を決定する（Ｓ１０）。なお、空き領域のサイズは、予め定められた一定サイズであってもよく、Ｓ１０の前段階でユーザが入力などによって指定してもよい。また、空き領域のサイズは、行数及び列数で特定してもよく、何ワード分に相当するか、あるいは何セル分に相当するか等の情報によって特定してもよい。図５、図８の例では、例えば情報コード１００の種別で予め定められた複数の型番（サイズ）において、Ｓ３、Ｓ５で生成されたデータワード（データコードワード）、Ｓ６で生成された誤り訂正ワード（誤り訂正コードワード）、及び空き領域を格納しうるサイズの型番を決定することになる。なお、情報コード１００の種別で複数の型番を使用可能とする場合、各型番毎に、行数及び列数、特定パターンの形状及び配置、フォーマットデータの配置、各コードワードの配置候補位置をそれぞれ定めておけばよい。また、いずれの型番でも、図５右図のように外周側から順番に各コードワードの配置候補位置を定めるようにし（例えば、外周側から内側に渦巻き状に配置候補位置を順番に設定し）、番号が若い配置候補位置ほど外側とするように各コードワードの配置候補位置を定め、用意された配置候補位置の内、コードワードが配置されない部分（即ち、使用されない部分）については、空き領域として用いるようにすれば、中央部により広い空き領域を確保し易くなる。また、Ｓ３、Ｓ５で生成されたデータワード（データコードワード）、Ｓ６で生成された誤り訂正ワード（誤り訂正コードワード）、及び空き領域を格納しうるサイズの型番が複数存在する場合には、その中から一番小さい型番（サイズ）を決定するようにしてもよく、ユーザがその中からいずれかの型番（サイズ）を指定できるようにしてもよい。そして、情報コード１００を生成する際には、このように決定された型番において予め定められたサイズ（行数及び列数）、特定パターンの配置、コードワードの各配置候補位置を用いると共に、具体的な各コードワードの配置位置は、上述の配置変換表に従って決定することになる。なお、以下では、Ｓ１０において図５右図のような型番が決定された例について具体的に説明する。
【００８５】
Ｓ１０の後には、Ｓ３、Ｓ５で生成されたデータワード（データコードワード）及びＳ６で生成された誤り訂正ワード（誤り訂正コードワード）を上述の配置位置情報（配置変換表）に基づいて配置することになる。情報コード生成装置２では、上述の配置位置情報（配置変換表）が記憶部５に記憶されており、この配置変換表では、上述したように他種コード１２０で定められた各配置位置（各順番のコードワードの配置位置）を、情報コード１００において予め定められた候補位置（各コードワードの配置候補位置）にそれぞれ対応付けている。Ｓ１１の処理では、記録すべきコードワード（Ｓ３、Ｓ５で生成されたデータワード（データコードワード）及びＳ６で生成された誤り訂正ワード（誤り訂正コードワード））を、図４、図５左図で示す他種コード１２０（情報コード１００よりもサイズが小さく、且つＳ３、Ｓ５で生成されたデータワード及びＳ６で生成された誤り訂正ワードを格納し得るサイズの二次元コード）で表現するときの各コードワード（各順番のコードワード）の配置位置を特定した上で、それら各順番のコードワードを、配置位置情報（配置変換表）によって各順番のコードワードの配置位置に対応付けられている情報コード１００内の各配置候補位置に配置する。例えば、図５の配置位置情報（配置変換表）では、他種コード１２０での１番目のコードワードの配置位置と、情報コード１００の１番の配置候補位置とが対応付けられているため、記録すべきコードワード（Ｓ３、Ｓ５で生成されたデータワード及びＳ６で生成された誤り訂正ワード）の内の１番目のコードワードについては情報コード１００内の１番の配置候補位置に配置する。また、他種コード１２０での２番目のコードワードの配置位置と、情報コード１００の２番の配置候補位置とが対応付けられているため、記録すべきコードワードの内の２番目のコードワードについては情報コード１００内の２番の配置候補位置に配置する。このように、記録すべきコードワードにおいてＮ番目のコードワードを配置する他種コード１２０での配置位置（Ｎ番目のコードワードの配置位置）と、情報コード１００のＭ番の配置候補位置とが対応付けられていれば、記録すべきコードワードの内のＮ番目のコードワードについては情報コード１００内のＭ番の配置候補位置に配置することになる。
【００８６】
つまり、Ｓ３、Ｓ５で生成されたデータワード及びＳ６で生成された誤り訂正ワードだけなら、情報コード１００よりも小サイズの他種コード１２０（公知のＱＲコードとして構成されたもの）で表現できるが、Ｓ３、Ｓ５で生成されたデータワード、Ｓ６で生成された誤り訂正ワード、及び空き領域１１０を格納する場合には、これよりも大きいサイズの情報コード１００によって表現する必要がある。そこで、本実施形態では、Ｓ３、Ｓ５で生成されたデータワード、Ｓ６で生成された誤り訂正ワード、及び空き領域１１０を、他種コード１２０よりも大きいサイズの情報コード１００によって表し、Ｓ３、Ｓ５で生成されたデータワード及びＳ６で生成された誤り訂正ワードを他種コード１２０（公知のＱＲコード）で表現した場合のコードワードの各配置と、これよりも大きいサイズの情報コード１００に格納する場合のコードワードの各配置との対応関係を、予め定められた配置変換表によって特定できるようにしている。
【００８７】
なお、本構成では、図５のような「配置変換表」が「解読対象データを表現する複数のデータワードをコード領域に配置する際の各配置位置を特定する配置位置情報」の一例に相当しており、この配置変換表（配置位置情報）は、解読対象データを複数のデータワードで表現したときの各順番のデータワードと、各順番のデータワードのコード領域内での各配置位置とを対応付けて定める情報として構成されている。また、記憶部５が「配置位置情報記録部」の一例に相当し、このような配置変換表のデータ（配置位置情報）を記録するように機能する。
【００８８】
Ｓ９又はＳ１１の後には、Ｓ９又はＳ１１で配置場所が決定されたコードワードに対してかけるべきマスクパターンを公知の所定方法（例えばＱＲコードで用いられる公知方法）で決定し、その決定されたマスクパターンをＳ９又はＳ１１で配置場所が決定されたコードワードに反映するように公知のマスク処理方法でマスクをかける（Ｓ１２）。そして、Ｓ１２で設定したマスクパターンの情報（マスク番号）及び誤り訂正レベルの情報に基づいてチェックデジットを算出し、図６のように誤り訂正レベル、マスク番号、チェックデジットを含んだフォーマット情報を生成する（Ｓ１３）。なお、フォーマット情報として記録するマスク番号や誤り訂正レベルなどのデータは、Ｓ１で入力できるようにしてもよい。
【００８９】
そして、Ｓ１で取得されたコード種別データが、空き領域１１０を有する情報コード１００の種別（額縁ＱＲ）である場合には、Ｓ１４にてＹｅｓに進み、Ｓ１３で生成されたフォーマット情報に、上述の特定マスク（額縁ＱＲマスク）を反映するようにマスク処理を行う（図６参照）。一方、Ｓ１で取得されたコード種別データが、空き領域１１０を有する情報コード１００の種別（額縁ＱＲ）でない場合には、Ｓ１４にてＮｏに進み、Ｓ１６で設定するマスクパターンとは異なるマスクパターンのマスク（モデル１のマスク又はモデル２のマスク）をセットする。Ｓ１５又はＳ１６によりフォーマット情報に対してマスクをかけた後には、そのマスク処理後のフォーマット情報をコード領域内の所定位置１０５に配置する（Ｓ１７）。
【００９０】
このようにして、特定パターン領域、データ記録領域、誤り訂正領域が構成された後には、空き領域１１０の構成要素を配置する（Ｓ１８）。図９の例では、画像領域、音情報表示領域（譜面領域）、マークシート領域、ＯＣＲ領域などの各領域の位置が、図１１、図１２のように特定されるようになっており、図１２のような各位置データによって特定される位置（図１１参照）に、図９のように、具体的な図形、模様、記号などを表示する。具体的には、図１２の「マークシート領域」の位置を特定する情報によって指定される位置（図１１の位置１４０ａ）に、マークシート領域１４０のマークシート画像データを配置し、「画像領域」の位置を特定する情報によって指定される位置（図１１の位置１３０ａ）に、画像領域１３０の人物画像データなどを配置する。また、「ＯＣＲ領域」の位置を特定する情報によって指定される位置（図１１の位置１５０ａ）に、ＯＣＲ領域１５０の図形データを配置する。更に、「音情報表示領域」の位置を特定する情報によって指定される位置（図１１の位置１２０ａ）に、音情報表示領域１２０の譜面画像を配置する。このような領域の位置を特定データや領域内の具体的内容を特定するデータは、外部からのデータ入力などによって生成装置２の記憶部５内に予め記憶されていてもよく、Ｓ１８での空き領域の生成時に外部装置に対してデータ送信を要求するようにしてもよい。
【００９１】
このようにして情報コード１００又は他の二次元コードが生成された後には、そのコードを印刷部８によって印刷する（Ｓ１９）。なお、Ｓ１９では、印刷に代えて、表示部６にて情報コード１００等の表示を行ってもよく、Ｓ１７までの処理によって生成された情報コード１００のデータを外部装置（例えば、携帯端末やコンピュータ等の情報機器）に送信してもよい。例えば、図７の処理によって図９のような情報コード１００が生成された場合、例えば図１０のように、この情報コード１００を、当該情報コード１００で表示される画像１３０で特定される個人の名刺に付すように印刷を行うようにしてもよい。
【００９２】
本構成では、情報コード生成装置２の制御部３が「データ記録領域生成部」の一例に相当し、情報コード１００のコード領域の内部に空き領域１１０を設ける場合、コード領域内の所定位置に特定のフォーマット構成でフォーマット情報を記録し、且つ、データ取得部で取得された解読対象データ（入力データ）を表現する各データワードを、配置位置情報記録部に記録された配置位置情報に基づいて配置するように、データ記録領域を生成している。また、制御部３によって構成される「データ記録領域生成部」では、コード領域の内部に空き領域１１０を設ける場合、所定種類のマスクパターン（特定マスク）を反映した状態で所定位置１０５のセル配列を構成している。
【００９３】
（情報コードの読取処理）
次に、図２の情報コード読取装置１０によって図１、図５右図等に示す情報コード１００を読み取る場合の処理について説明する。図８の読取処理は、例えばユーザによって所定操作（例えば、操作スイッチ４２の操作等）がなされたときに実行されるものであり、まず、図８のＳ４０に示すように、受光センサ２３の撮像エリアにある二次元コードを撮像して当該二次元コードの撮像画像を取得すると共に、その二次元コードの形（コード外形）を検出する。具体的には、位置検出パターン１０４の認識や二次元コードの外形を公知の方法で試みる。例えば、ＱＲコード（登録商標）で行われる、１：１：３：１：１の波形を検出する公知の方法等により位置検出パターン１０４を検出し、撮像された二次元コードの外形をＱＲコード（登録商標）で行われる公知の方法で検出する。このとき、Ｓ４０で情報コード１００が撮像された場合には、情報コード１００の外形が検出されることになる。なお、Ｓ４０での処理方法は、特定パターンの形状や二次元コードの外形を検出し得る方法であれば他の方法であってもよい。
本構成では、受光センサ２３が「撮像部」の一例に相当し、情報コード生成装置２によって生成された情報コード１００を撮像するように機能する。
【００９４】
Ｓ４０の後には、情報コード１００の所定位置１０５の情報（フォーマット情報）を解読し、撮像された情報コードの種別及びマスク訂正レベルを取得する（Ｓ４１）。具体的には、例えば、上述したように所定位置１０５に記録された情報を上述の特定マスク（額縁ＱＲ用マスク）に基づいてマスク処理を解除して解読を試みる。上述の特定マスクのマスクを解除し得る方法でマスク処理を解除した時にチェックデジットが合う場合（即ち、所定位置１０５を解読したときの訂正レベルのデータとマスク番号のデータとに基づいて算出されたチェックデジットが、所定位置１０５に記録されたチェックデジットと合うような場合）には、情報コード１００の種別（空き領域１１０を有する種別）であること特定することでき、フォーマット情報に含まれる誤り訂正レベル及びマスク番号も取得できることとなる。このように特定のマスクに基づいてマスク処理を解除できたとき（即ち、情報コード１００の種別（額縁ＱＲ）であることが認識できたとき）には、Ｓ４２にてＹｅｓに進む。一方、図６に示すモデル１用のマスクやモデル２用のマスクなど、特定のマスク（額縁ＱＲ用マスク）以外の他のマスクによってマスク処理を解除できたときには、Ｓ４２にてＮｏに進む。他のマスクによってマスク処理が解除できるときは、Ｓ４０で撮像された二次元コードが公知のＱＲコードのケースであるため、Ｓ４２でＮｏに進む場合は、公知の方法で当該ＱＲコードを解読して解読結果を出力することになる。なお、図８では、Ｓ４２でＮｏとなる場合の処理は省略して示している。
【００９５】
Ｓ４２でＹｅｓに進む場合、まず、データ記録領域に記録されたデータを解読する（Ｓ４３）。具体的には、Ｓ４１で取得されたフォーマット情報に含まれるマスク番号に基づいてコード全体（具体的には、コードワードの領域）のマスクを解除する。そして、データワードの先頭に設けられたヘッダデータ（額縁ＱＲヘッダー）に基づいて、元のコードサイズ（他種コード１２０の型番、形式）を特定し、図５と同様の配置変換表に従って、図５右図に示すような情報コード１００から図５左図に示すような元のコード（他種コード１２０）の配置に戻す。具体的には、情報コード１００の各配置候補位置のコードワード（データコードワード及び誤り訂正コードワード）を、配置変換表において各配置候補位置に対応付けられている他種コード１２０内での配置位置に配置し直す。このように配置変換することにより、情報コード１００に配置されていたデータコードワードや誤り訂正コードワードを記録してなる他種コード１２０が得られることになる。そして、他種コード１２０は、公知のＱＲコードであるため、公知のＱＲコードと同様の方法でデータを解読する（即ち、誤り訂正コードワードに基づいて公知の方法で誤り訂正計算を実施すると共に、データコードワードを解読する）。
【００９６】
本構成では、制御回路４０が「判別部」の一例に相当し、撮像部によって情報コード１００が撮像された場合に、コード領域の所定位置１０５が特定のフォーマット構成であるか否かを判別するように機能する。具体的には、所定位置１０５に所定種類のマスクパターン（特定マスク）が反映されているか否かを判別するように機能する。
【００９７】
また、制御回路４０が「データ記録領域読取部」「解読部」の一例に相当し、撮像部によって情報コード１００が撮像された場合に、その撮像された情報コード１００のコード画像におけるデータ記録領域及び誤り訂正符号記録領域の内容に基づいてデータ記録領域に記録されたデータを読み取るように機能する。具体的には、判別部によって所定位置１０５が特定のフォーマット構成であると判別された場合（より詳しくは、所定位置１０５に所定種類のマスクパターンが反映されている場合）に、対応情報記録部に記録された対応情報（配置変換表）に基づいてコード領域内の各データワードの位置を特定し、解読対象データを解読するように機能する。
【００９８】
なお、配置変換表は、「対応情報」の一例に相当し、コード領域において各配置位置で表される各順番のデータワードを、情報コード１００とは異なる他種コード１２０において予め定められた方式（例えば公知規格等で定められた方式など）で表現する場合の当該他種コード１２０内での各対応位置を定める情報として構成されている。そして、解読部に相当する制御回路４０は、判別部によって所定位置１０５が特定のフォーマット構成であると判別された場合、コード領域の各配置位置で表される各順番のデータワードを、対応情報で定められる他種コード１２０内での各対応位置に置換した構成で当該他種コード１２０を解読するように機能する。
【００９９】
Ｓ４４の後には、情報コード１００が音情報表示領域を使用する形式（オルゴール形式）であるか否かを判断する（Ｓ４５）。具体的には、図１２のようなキャンバス活用データにおいて、音情報表示領域を使用する旨の情報が記録されているか（例えば、図１２のように音楽が「ｕｓｅ」となっているか否か）を判断する。そして、音情報表示領域を使用する形式（オルゴール形式）が指定されている場合には、Ｓ４５にてＹｅｓに進み、指定されていない場合にはＳ４５にてＮｏに進むことになる。
【０１００】
Ｓ４５でＹｅｓに進む場合には、図１２のようなヘッダデータ（額縁ＱＲヘッダー）に含まれる各位置情報を読み取る（Ｓ４６）。具体的には、上述した、「マークシート領域」の位置を特定する情報、「画像領域」の位置を特定する情報、「ＯＣＲ領域」の位置を特定する情報、「音情報表示領域」の位置を特定する情報などを読み取る。更に、譜面段組位置を特定する情報や、音情報表示領域に記録された音を演奏する音源を特定する情報や、音情報表示領域に記録された音の高さの数（音階数）を特定する情報や、音情報表示領域に記録された音を演奏する演奏速度を特定する情報、ＵＲＬを指定する情報、Ｅメールアドレスを指定する情報なども読み取る。
【０１０１】
Ｓ４６の後には、Ｓ４６で取得された各位置の情報を取得する（Ｓ４７）。具体的には、画像位置の情報で特定された画像領域１３０の画像、譜面位置の情報及び譜面段組位置の情報で特定された音情報表示領域１２０の画像、マークシート位置の情報で特定されたマークシート画像領域１４０の画像、ＯＣＲ位置の情報で特定されたＯＣＲ画像領域１５０の画像を抽出する。そして、各画像に対応する処理を行う。
【０１０２】
例えば、画像領域１３０の画像については、画像を切り出して所定の画像フォーマット（例えばビットマップ形式など）で保存する。また、マークシート位置の情報で特定されたマークシート画像領域１４０の画像に基づいて、マークシートでの指定内容を特定する。更に、ＯＣＲ位置の情報で特定されたＯＣＲ画像領域１５０の画像に基づいて、記入内容を特定する。
【０１０３】
また、音情報表示領域１２０の画像については、音情報表示領域１２０を譜面として扱い、音情報表示領域１２０に表された各所定図形１２１の位置をそれぞれ特定する。具体的には、音情報表示領域１２０の中から音を特定する所定形状（図９の例では黒丸形状又は黒い長丸形状）の図形１２１を抽出し、各所定図形１２１の上下方向の位置を特定する。これにより、各所定図形１２１の音の高さが特定される。また、図９の音情報表示領域１２０では、横方向が時間軸であり、縦方向が音の高さとなっており、音情報表示領域１２０の左端からの各所定図形１２１の距離により、各所定図形１２１の音が演奏されるタイミングが特定されるようになっている。そして、読取装置１０では、このように特定される音情報表示領域１２０の画像に従い、Ｓ４６で取得された音源、音数、再生速度によって特定される音の内容で、左側の所定図形１２１から順番に音を発することになる。このようにして、音情報表示領域１２０で表現されるメロディーを演奏することができる。
【０１０４】
本構成では、Ｓ４７の後、Ｓ４７で取得されたデータを出力又は記憶する（Ｓ４８）。このように出力又は記録する際には、音情報表示領域１２０で表現されるメロディーをスピーカから流すようにしてもよい。或いは、音情報表示領域１２０で表現される音楽を、データとして出力又は記録するようにしてもよい。
また、本構成では、ＯＣＲ領域１５０は、誕生日や面会日などを記録する領域とすることができ、マークシート領域１４０では、ＯＣＲ領域１５０の記録内容が誕生日又は面会日のいずれであるかを記入位置によって特定できるようになっている。更に本構成の読取装置１０では、Ｓ４７にて、画像領域１３０の画像データ、マークシート領域１４０での指定内容を特定するデータ、ＯＣＲ画像領域１５０での記録内容を特定するデータ、音情報表示領域１２０に記録される音楽の電子データが取得された場合、これらのデータを互いに対応付けて登録するとよい。例えば、データ記録領域に、個人名などが記録されている場合、この個人名で特定される個人のデータとして、当該個人名とＳ４７で取得した各データとを対応付けて登録すると良い。
【０１０５】
なお、制御回路４０は、記録音特定部の一例に相当し、コード画像内の音情報表示領域１２０に表された所定図形に基づいて、音情報表示領域に記録された複数の音を特定するように機能する。
【０１０６】
[第１実施形態の変更例１]
第１実施形態の代表例では、図９のような情報コードを例示したが、音情報表示領域を備えた情報コードの構成はこのような例に限られない。例えば、図１３のような構成としてもよい。この図１３の例でも、空き領域１１０の内部に第１実施形態と同様の音情報表示領域１２０が設けられている。そして、この音情報表示領域１２０でも、複数の音のそれぞれの高さが、それぞれの音に対応する所定図形の位置によって表現されている。
【０１０７】
また、図１３の構成では、音情報表示領域１２０の周囲領域にデータ記録領域によるデータの記録方法とは異なる方法で演奏方法指定データを記録する領域を設けた構成となっている。図１３の構成では、音情報表示領域１２０の周囲領域に、音情報表示領域１２０に記録された複数の音の演奏方法の内容を記入位置によって特定する記入領域１６０が設けられている。この記入領域１６０では、音情報表示領域１２０に記録された複数の音の演奏速度（再生速度）を記入位置によって特定する構成となっている。具体的には、演奏速度（再生速度）が５段階に設定されており、５段階のいずれの演奏速度に設定するかを、記入領域１６０に設けられた記入枠の塗り潰しによって指定できるようになっている。読取装置１０では、例えば予め各記入位置と演奏速度（再生速度）との関係が把握されるようになっており、塗り潰された記入位置に対応する演奏速度（再生速度）で音情報表示領域１２０の音楽を演奏する。
【０１０８】
また、各記入位置と演奏速度（再生速度）との関係を特定するデータは、データ記録領域内に記録されていてもよく、この場合、読取装置１０は、記入領域１６０での塗り潰しの位置がどの演奏速度（再生速度）に対応するかをデータ記録領域の内容によって特定し、その特定された演奏速度（再生速度）で音情報表示領域１２０の音楽を演奏すればよい。
【０１０９】
[第１実施形態の変更例２]
また、図１４のような構成としてもよい。この図１４の例でも、空き領域１１０の内部に音情報表示領域１２０が設けられている。そして、この音情報表示領域１２０でも、複数の音のそれぞれの高さが、それぞれの音に対応する所定図形の位置によって表現されている。
【０１１０】
図１４の構成でも、音情報表示領域１２０の周囲領域にデータ記録領域によるデータの記録方法とは異なる方法で演奏方法指定データを記録する領域を設けた構成となっている。この図１４の構成では、音情報表示領域１２０の周囲領域に、音情報表示領域１２０に記録された複数の音の演奏方法の内容を記入位置によって特定する記入領域１６０、１７０、１８０が設けられている。
【０１１１】
記入領域１６０では、変更例１と同様、音情報表示領域１２０に記録された複数の音の演奏速度（再生速度）を記入位置によって特定する構成となっている。具体的には、演奏速度（再生速度）が５段階に設定されており、５段階のいずれの演奏速度に設定するかを、記入領域１６０に設けられた記入枠の塗り潰しによって指定できるようになっている。
【０１１２】
記入領域１７０では、音情報表示領域１２０に記録された複数の音の演奏音源を記入位置によって特定する構成となっている。具体的には、演奏音源をピアノ、オルゴール、ギターの３種類から選択できるようになっており、３種類の中のいずれの演奏音源に設定するかを、記入領域１７０に設けられた記入枠の塗り潰しによって指定できるようになっている。なお、塗り潰し位置がどの音源に対応するかを読取装置１０が把握する方法は、変更例１における塗り潰し位置がどの演奏速度に対応するかを把握する方法と同様とすればよい。
【０１１３】
記入領域１８０では、音情報表示領域１２０に記録されたデータで演奏可能な音の高さの数を記入位置によって特定する構成となっている。具体的には、演奏可能な音の高さの数を、五音と十音の２種類から選択できるようになっており、２種類のいずれの音数に設定するかを、記入領域１８０に設けられた記入枠の塗り潰しによって指定できるようになっている。なお、塗り潰し位置がどの音数（音の高さ数）に対応するかを読取装置１０が把握する方法は、変更例１における塗り潰し位置がどの演奏速度に対応するかを把握する方法と同様とすればよい。
【０１１４】
[第１実施形態の変更例３]
また、図１５のような構成としてもよい。この図１５の例でも、空き領域１１０の内部に音情報表示領域１２０が設けられている。そして、この音情報表示領域１２０では、音情報表示領域１２０で複数の音を表現する各々の所定図形１２３の色彩又は形状の少なくともいずれかを、複数種類の演奏方法にそれぞれ対応付けられた複数の色彩候補又は複数の形状候補の中から選定する構成となっている。例えば、所定図形１２３で表現する色によって音の高さを指定し、所定図形１２３の形状によって音の種類（例えば音源）を特定できるようになっている。読取装置１０には、所定図形の形状と音の種類（ピアノ、ギター、オルゴールなどの音源）とが予め対応付けられて記憶されており、各色と音の高さが予め対応付けられて記憶されている。そして、読取装置１０がこのような音情報表示領域１２０に従って演奏を行う場合、各図形１２３の位置を抽出し、上側の行（横方向に延びる５本の各線における上側の線）から順に各図形１２３に対応する音を発するようにすればよい。また、各行では、左の図形１２３から順に対応する音を発すればよい。
【０１１５】
[第２実施形態]
次に、第２実施形態について、図面を参照して説明する。
第２実施形態の情報コード利用システムは、ハードウェア構成については第１実施形態と同一であり、上述した図１、図２のような構成が用いられる。
【０１１６】
第２実施形態の情報コード利用システムでは、情報コード生成装置２（図１等参照）により図１６（Ｂ）のような情報コード２００を生成する。この構成でも、複数のセル２０２がマトリックス状に配列されてなるコード領域の内部に、予め定められた形状の特定パターン２０４が配置される特定パターン領域と、複数種類のセルによってデータを記録するデータ記録領域と、音情報表示領域１２０とが設けられている。そして、データ記録領域には、第１実施形態の空き領域１１０と同様の表示内容で空き領域２１０が構成されている。
【０１１７】
この構成では、空き領域２１０内の構成以外は、公知のＱＲコード（登録商標）として構成されており、まず、図１６（Ａ）のように、コード領域の内部に、特定パターン領域と、データ記録領域と、複数種類のセルによって誤り訂正符号を記録する誤り訂正符号記録領域とを設けている。なお、データ記録領域でのデータコードワードの記録方法及び誤り訂正符号記録領域での誤り訂正コードワードの記録方法は公知のＱＲコード（登録商標）と同様であり、例えば、ＪＩＳＸ０５１０で規定される方式でコード領域内の位置検出パターン２０４の配置、データ記録領域におけるデータコードワードの配置、誤り訂正符号記録領域での誤り訂正コードワードの配置が定められている。
【０１１８】
但し、図１６（Ａ）のように、一部領域ＡＲのコードワードを、白セルのみによって表現されるコードワードとして構成した情報コード２００’を生成し、このように白セルのみによって表現される領域ＡＲを空き領域２１０とした場合において、空き領域２１０内に、第１実施形態と同様の音情報表示領域１２０等を設けた場合、図１６（Ａ）のような本来のデータ表示とは異なった構成になるが、この空き領域２１０でのデータの誤りは、誤り訂正符号記録領域に記録された誤り訂正符号を用いて公知の誤り訂正を行えばよい。
【０１１９】
また、図１６（Ｂ）に示す情報コード２００では、空き領域２１０の位置が予め特定されるため、空き領域２１０内にデザインや情報を付加して表示する場合にはこの表示による誤り位置が予め分かっていることになる。従って、空き領域２１０の位置を誤り位置として消失訂正を行うように誤り訂正符号記録領域の誤り訂正符号を構成することもできる。この場合、空き領域２１０の位置を示す情報を予めデータ記録領域に記録しておいたり、或いは、予め読取装置１０（図１）内に記憶しておくことで、読取時に読取装置１０が空き領域２１０の位置（即ち、誤りが生じているデータコードワードの位置）を特定することができるようになり、読取装置１０は、このように位置が特定された空き領域２１０に存在するデータコードワードの誤りを訂正するように、誤り訂正符号記録領域に記録された誤り訂正符号を用いて消失訂正を行うようにすればよい。
【０１２０】
また、図１６のように既存のＱＲコード（登録商標）の一部を空き領域２１０として構成する場合、データ記録領域に記録されるデータにおいて、図１８（Ａ）のような識別情報を含ませておけばよい。図１８（Ａ）は、データ記録領域に記録される解読対象データ構成を概念的に示しており、この例では、解読対象データの先頭部分に、所定構成（％％ＭＵＳＩＣ％％）のデータが付されている。このように構成しておけば、読取装置１０は、データ記録領域に記録される解読対象データの中からこの識別情報（％％ＭＵＳＩＣ％％）を検出したときに、空き領域の解析処理を行うことができるようになり、逆に、識別情報識別情報（％％ＭＵＳＩＣ％％）を検出できないときには通常のデコード処理を行うことになる。また、この例では、データ記録領域のデータとして、通常のデータ以外に、図１２のようなデータが含まれていることが望ましい。また、図１８（Ａ）に示すデータは、データ記録領域に記録されるデータの内、終端子よりも前に配置される解読対象データを示しており、終端子よりも後に配置される埋め草コードは省略している。本構成では、例えば、この埋め草コードの領域を全て白セルのみで表示するようにし、この領域を空き領域２１０として扱うようにすることができる。
【０１２１】
また、識別情報の例はこの例に限られるものではなく、例えばモード番号として専用のモード番号を用いるようにしてもよい。例えば、ＱＲコードの規格では、１：数字モード、２：英数字モード、３：連結モード等が定められており、このようなモード番号の１つとして１４：空き領域解析モードを設けるようにしてもよい。このような例では、モード番号「１４」が設定されている場合に、空き領域の解析処理を行えばよい。
【０１２２】
［第３実施形態]
次に、第３実施形態について説明する。
第３実施形態の情報コード利用システムも、ハードウェア構成については第１実施形態と同一であり、上述した図１、図２のような構成が用いられる。
【０１２３】
第３実施形態の情報コード利用システムでは、情報コード生成装置２（図１等参照）により図１７（Ｂ）のような情報コード３００を生成する。この構成でも、複数のセル３０２がマトリックス状に配列されてなるコード領域の内部に、予め定められた形状の特定パターン（Ｌ字状のアライメントパターン３０４ａ及び明色セルと暗色セルが１セルずつ交互に配置され、コード領域の境界に沿ったＬ字状の領域を構成するタイミングセル３０４ｂ）が配置される特定パターン領域と、複数種類のセルによってデータを記録するデータ記録領域とを設け、コード領域の内部において、特定パターン領域以外の位置に、データ記録領域にデータを記録する方法とは異なる方法で、データの記録又はデザインの表示の少なくともいずれかが可能となる空き領域３１０を、単一のセルのサイズよりも大きい所定サイズで設けている。
【０１２４】
この構成では、空き領域３１０の構成以外は、公知のデータマトリックスコードとして構成されており、まず、図１７（Ａ）のように、コード領域の内部に、特定パターン領域と、データ記録領域と、複数種類のセルによって誤り訂正符号を記録する誤り訂正符号記録領域とを設けている。なお、データ記録領域でのデータコードワードの記録方法及び誤り訂正符号記録領域での誤り訂正コードワードの記録方法は公知のデータマトリックスコードと同様であり、コード領域内のアライメントパターン３０４ａやタイミングセル３０４ｂの配置、データ記録領域におけるデータコードワードの配置、誤り訂正符号記録領域での誤り訂正コードワードの配置は、例えばＥＣＣ２００バージョンに従って定められている。
【０１２５】
但し、図１７（Ａ）のように、一部領域のコードワードを、白セルのみによって表現されるコードワードとして構成した情報コード３００’を生成し、このように白セルのみによって表現される領域ＡＲを空き領域３１０として、図１７（Ｂ）のように、この空き領域３１０内に第１実施形態と同様の音情報表示領域１２０等を設けている。図１７（Ｂ）のように空き領域３１０に第１実施形態と同様の音情報表示領域１２０等を設けた場合、図１７（Ａ）のような本来のデータ表示とは異なった構成になるが、この空き領域３１０でのデータの誤りは、誤り訂正符号記録領域に記録された誤り訂正符号を用いて公知の誤り訂正を行えばよい。
【０１２６】
また、図１７（Ｂ）に示す情報コード３００では、空き領域３１０の位置が予め特定されるため、空き領域３１０内にデザインや情報を付加して表示する場合にはこの表示による誤り位置が予め分かっていることになる。従って、空き領域３１０の位置を誤り位置として消失訂正を行うように誤り訂正符号記録領域の誤り訂正符号を構成することもできる。この場合、空き領域３１０の位置を示す情報を予めデータ記録領域に記録しておいたり、或いは、予め読取装置１０（図１）内に記憶しておくことで、読取時に読取装置１０が空き領域３１０の位置（即ち、誤りが生じているデータコードワードの位置）を特定することができるようになり、読取装置１０は、このように位置が特定された空き領域３１０に存在するデータコードワードの誤りを訂正するように、誤り訂正符号記録領域に記録された誤り訂正符号を用いて消失訂正を行うようにすればよい。
【０１２７】
また、図１７のように既存のデータマトリックスコードの一部を空き領域３１０として構成する場合、データ記録領域に記録されるデータにおいて、図１８（Ｂ）のような識別情報を含ませておけばよい。図１８（Ｂ）は、データ記録領域に記録される解読対象データ構成を概念的に示しており、この例では、解読対象データの先頭部分に、所定構成（％％ＭＵＳＩＣ％％）のデータが付されている。このように構成しておけば、読取装置１０は、データ記録領域に記録される解読対象データの中からこの識別情報（％％ＭＵＳＩＣ％％）を検出したときに空き領域３１０の解析処理を行うことができるようになり、逆に、識別情報（％％ＭＵＳＩＣ％％）を検出できないときには通常のデコード処理を行うことになる。また、この例では、データ記録領域のデータとして、通常のデータ以外に、画像表示領域（登録対象者の画像）の位置を特定する位置データや、その他の付随情報が含まれていることが望ましい。
【０１２８】
また、識別情報の例はこの例に限られるものではなく、例えば専用のコードワードを用いるようにしてもよい。データマトリックスコードの仕様として、例えば、０〜１２８をＡＳＣＩＩ文字、２３３を連結モードなどとして定めている場合、「２３４」を画像表示領域認識用の特別なコードワードとして新たに定めるようにしてもよい。このような例では、データ記録領域のデータに「２３４」のコードワードが含まれている場合に、空き領域３１０の解析処理を行えばよい。また、未使用のコードワードが存在する場合、未使用のコードワードを識別情報として含ませておき、データ記録領域のデータに未使用のコードワードが含まれている場合に、空き領域３１０の解析処理を行うようにしてもよい。
【０１２９】
［他の実施形態］
本発明は上記記述及び図面によって説明した実施形態に限定されるものではなく、例えば次のような実施形態も本発明の技術的範囲に含まれる。
【０１３０】
上記実施形態では、情報コード１００内に、音情報表示領域１２０の位置を示す位置データ等を含ませるようにしていたが、このような例に限られない。例えば、情報コード生成装置２が、空き領域において予め定められた所定位置に音情報表示領域１２０を配置するように情報コードを生成する構成であってもよい。この場合、所定位置を特定する情報（図１２に示す音情報表示領域１２０の位置データなどの情報）が記憶部５に記憶されていればよい。また、この場合、情報コード読取装置１０には、情報コード生成装置２と同様、所定位置を特定する特定情報（図１２に示す音情報表示領域１２０の位置データなどの情報）をメモリ３５に記憶しておけばよい。そして、情報コード読取装置１０では、図８のＳ４７において、メモリ３５からこのような特定情報を読み出して音情報表示領域１２０を特定した上で、それ以降の処理を行えばよい。また、この場合、図３に示す音情報表示領域１２０の位置データは、ヘッダデータに含めなくてもよい。
【０１３１】
本発明は、上述したいずれか１又は複数若しくは全ての情報コードを表示し得る表示装置として構成することもできる。また、上述したいずれか１又は複数若しくは全ての情報コードを印刷し得る印刷装置として構成することもできる。更に、上述したいずれか１又は複数若しくは全ての情報コードを生成するためのコンピュータ読取可能なプログラムとして構成することもできる。また、上述した１又は複数若しくは全ての情報コードを生成するためのプログラムを記録した記録媒体として構成することもできる。更に、上述した１又は複数若しくは全ての情報コードが付された情報コード媒体（印刷物、ダイレクトマーキング等によって構成された形成物など）として把握することもできる。また、上述した１又は複数若しくは全ての情報コードが表示された表示画像として把握することもできる。
【０１３２】
図１等の構成では、情報コード生成装置２と情報コード読取装置１０が別々の装置として構成された例を示しているが、情報コード生成装置２が情報コード読取装置１０として構成されていてもよい。
【０１３３】
上記実施形態では、コード領域の中央部に空き領域１１０を設けた例を示したが、空き領域１１０の配置はこの例に限られない。例えば、コード領域の周縁付近に空き領域を設けてもよい。
【０１３４】
上記実施形態では、他種コードとしてＱＲコードを例に挙げ、情報コード１００で用いる特定パターンとしてＱＲコードの特定パターンを例に挙げたが、これ以外の種類の二次元コードを用いてもよい。例えば、他種コードとしてデータマトリックスコードを用い、情報コード１００で用いる特定パターンをデータマトリックスコードの特定パターンとしてもよい。
【０１３５】
コード領域内に空き領域を備え、空き領域内に音情報表示領域を設けてなる情報コードの例は、上記実施形態の例に限られるものではない。例えば、図１９（Ａ）、図１９（Ｂ）のように、２つ以上の情報コードを備え、それら情報コード間に明色セルや暗色セルで表現されたデータを配置したり、或いは明暗パターンのデザインを配置することで一体的に連結した情報コード４００（アドインコード）を構成し、このような情報コード４００内に空き領域４１０を設けるようにしてもよい。そして、このような空き領域４１０に上述の音情報表示領域１２０（図１等）や、他の関連領域１３０、１４０、１５０（図１等）などを設けるようにしてもよい。
【０１３６】
図５のように設定した配置変換表における対応関係は、図２０のように任意に変更することができる。例えば、情報コード生成装置２、情報コード読取装置１０において図５のように設定されていた配置変換表を図２０のように変更した場合、生成される情報コード１００では、２２〜２３番目のコードワードの配置が、図５右図のような配置（２２〜２３番の配置候補位置に記録する配置）から図１３右図のような配置（４２〜４３番の配置候補位置に記録する配置）に変更され、これにより空き領域１１０の位置や形状も変化することになる。この場合、２２〜２３番の配置候補位置は空き領域としてもよく、他のコードワードの配置位置としてもよい。つまり、この構成では、配置変換表を調整することで空き領域１１０の位置や形状を調整することができ、空き領域を構成する上での自由度をより高めることができる。
【符号の説明】
【０１３７】
１…情報コード利用システム
２…情報コード生成装置
１０…情報コード読取装置
２３…受光センサ（撮像部）
４０…制御回路（データ記録領域読取部、記録音特定部）
１００…情報コード
１０２…セル
１０４…位置検出パターン（特定パターン）
１１０…空き領域
１２０…音情報表示領域
【図１】
2015060582.tif 000003
【図２】
2015060582.tif 000004
【図３】
2015060582.tif 000005
【図４】
2015060582.tif 000006
【図５】
2015060582.tif 000007
【図６】
2015060582.tif 000008
【図７】
2015060582.tif 000009
【図８】
2015060582.tif 000010
【図９】
2015060582.tif 000011
【図１０】
2015060582.tif 000012
【図１１】
2015060582.tif 000013
【図１２】
2015060582.tif 000014
【図１３】
2015060582.tif 000015
【図１４】
2015060582.tif 000016
【図１５】
2015060582.tif 000017
【図１６】
2015060582.tif 000018
【図１７】
2015060582.tif 000019
【図１８】
2015060582.tif 000020
【図１９】
2015060582.tif 000021
【図２０】
2015060582.tif 000022